(57)【要約】  ワイヤレス通信のための技法が説明される。ユーザ機器(UE)におけるワイヤレス通信の方法は、同期信号(SS)ブロック内の同期信号を受信することと、SSブロックの物理ブロードキャストチャネル(PBCH)の少なくとも一部分を受信することであって、PBCHが自己復号可能部分および外側部分を備える、受信することと、PBCHの自己復号可能部分を受信することに少なくとも部分的に基づいてPBCHを復号することとを含む。同期信号は第1の帯域幅を有する。PBCHの自己復号可能部分は、実質的に第1の帯域幅内の第2の帯域幅を有する。外側部分は、第2の帯域幅の外側かつPBCH帯域幅内にある帯域幅を有し、PBCH帯域幅は第1の帯域幅よりも大きい。
2020518150.tif 000002
【特許請求の範囲】
【請求項１】
ユーザ機器(UE)におけるワイヤレス通信の方法であって、
同期信号(SS)ブロック内の同期信号を受信するステップであって、前記同期信号が第1の帯域幅を有する、ステップと、
前記SSブロックの物理ブロードキャストチャネル(PBCH)の少なくとも一部分を受信するステップであって、前記PBCHが、実質的に前記第1の帯域幅内の第2の帯域幅を有する自己復号可能部分、および前記第2の帯域幅の外側かつPBCH帯域幅内にある帯域幅を有する外側部分を備え、前記PBCH帯域幅が前記第1の帯域幅よりも大きい、ステップと、
前記PBCHの前記自己復号可能部分を受信することに少なくとも部分的に基づいて前記PBCHを復号するステップと
を備える方法。
【請求項２】
前記PBCHの受信ビットが、ポーラ符号化されるとともにランダムにインターリーブされ、前記PBCHを復号するステップが、
前記PBCHの前記自己復号可能部分の中に含まれる前記PBCHのビットのセットに基づいて、前記PBCHのポーラ復号を実行するステップを備える、
請求項1に記載の方法。
【請求項３】
前記PBCHの前記受信ビットがSランダムインターリーブされる、請求項2に記載の方法。
【請求項４】
前記PBCHの前記受信ビットが、三角形インターリーバ、畳み込みインターリーバ、矩形インターリーバ、または並列矩形インターリーバを使用してインターリーブされる、請求項2に記載の方法。
【請求項５】
前記PBCHの受信ビットがポーラ符号化され、前記PBCHを復号するステップが、
前記第1の帯域幅の外側のトーンに関連する前記PBCHのビットを、ポーラ符号のパンクチャドビットとして特徴づけるステップを備える、
請求項1に記載の方法。
【請求項６】
前記PBCHの受信ビットが低密度パリティチェック(LDPC)符号化され、前記PBCHを復号するステップが、
前記PBCHの前記自己復号可能部分の中に含まれる前記PBCHのビットのセットを、LDPCグラフの少なくとも自己復号可能コアにマッピングするステップを備える、
請求項1に記載の方法。
【請求項７】
前記PBCHの受信ビットが、ポーラ符号化、低密度パリティチェック(LDPC)符号化、またはテールバイティング畳み込みコード(TBCC)符号化され、前記PBCHの前記自己復号可能部分の中に含まれる前記PBCHの符号化ビットが、すべてのPBCH情報を含む、請求項1に記載の方法。
【請求項８】
前記PBCHの前記自己復号可能部分の中に含まれる前記PBCHの前記符号化ビットが、反復されたPBCH情報を含む、請求項7に記載の方法。
【請求項９】
前記PBCHの前記自己復号可能部分の外側の前記PBCHの前記符号化ビットが、反復されたPBCH情報を含む、請求項7に記載の方法。
【請求項１０】
前記SSブロックが前記PBCHの前記自己復号可能部分を含むという指示を基地局から受信するステップ
をさらに備える、請求項1に記載の方法。
【請求項１１】
前記指示が前記同期信号の中でシグナリングされる、請求項10に記載の方法。
【請求項１２】
前記同期信号が、前記基地局のアンテナポートから送信される1次同期信号(PSS)、および前記基地局の前記アンテナポートから送信される2次同期信号(SSS)を備え、前記SSブロックが前記PBCHの前記自己復号可能部分を含むという前記指示を受信するステップが、
前記PSSと前記SSSとの間の差分を検出するステップを備える、
請求項11に記載の方法。
【請求項１３】
前記第1の帯域幅の第1の指示、同期信号周波数の第2の指示、またはそれらの組合せのうちの少なくとも1つを基地局から受信するステップ
をさらに備える、請求項1に記載の方法。
【請求項１４】
前記UEの受信機を前記第1の帯域幅にチューニングするステップ
をさらに備える、請求項1に記載の方法。
【請求項１５】
前記PBCHが、前記第2の帯域幅内で開始するとともに少なくとも前記第2の帯域幅内の同期信号周波数を中心として交互になるトーンマッピングに基づいて復号される、請求項1に記載の方法。
【請求項１６】
前記PBCHが、前記第2の帯域幅内で開始するとともに前記第2の帯域幅内で連続するトーンマッピングに基づいて復号される、請求項1に記載の方法。
【請求項１７】
前記PBCHの前記自己復号可能部分が、少なくとも第1のシンボルおよび第2のシンボルの中で受信され、前記第1のシンボルと前記第2のシンボルの両方にレートマッチングされる、請求項1に記載の方法。
【請求項１８】
前記PBCHが、少なくとも第1のシンボルおよび第2のシンボルを占有し、前記第1のシンボルにレートマッチングされるとともに前記第2のシンボルの中で反復される、請求項1に記載の方法。
【請求項１９】
前記PBCHが、複数のリソース要素の各々の中で擬似ランダム位相シフトに関連付けられる、請求項18に記載の方法。
【請求項２０】
前記同期信号が、1次同期信号(PSS)、2次同期信号(SSS)、またはそれらの組合せのうちの少なくとも1つを備える、請求項1に記載の方法。
【請求項２１】
ユーザ機器(UE)におけるワイヤレス通信のための装置であって、
プロセッサと、
前記プロセッサと電子通信しているメモリと、
前記メモリの中に記憶された命令とを備え、前記命令が、
同期信号(SS)ブロック内の同期信号を受信することであって、前記同期信号が第1の帯域幅を有する、受信することと、
前記SSブロックの物理ブロードキャストチャネル(PBCH)の少なくとも一部分を受信することであって、前記PBCHが、実質的に前記第1の帯域幅内の第2の帯域幅を有する自己復号可能部分、および前記第2の帯域幅の外側かつPBCH帯域幅内にある帯域幅を有する外側部分を備え、前記PBCH帯域幅が前記第1の帯域幅よりも大きい、受信することと、
前記PBCHの前記自己復号可能部分を受信することに少なくとも部分的に基づいて前記PBCHを復号することとを行うように、前記プロセッサによって実行可能である、
装置。
【請求項２２】
ユーザ機器(UE)におけるワイヤレス通信のための装置であって、
同期信号(SS)ブロック内の同期信号を受信するための手段であって、前記同期信号が第1の帯域幅を有する、手段と、
前記SSブロックの物理ブロードキャストチャネル(PBCH)の少なくとも一部分を受信するための手段であって、前記PBCHが、実質的に前記第1の帯域幅内の第2の帯域幅を有する自己復号可能部分、および前記第2の帯域幅の外側かつPBCH帯域幅内にある帯域幅を有する外側部分を備え、前記PBCH帯域幅が前記第1の帯域幅よりも大きい、手段と、
前記PBCHの前記自己復号可能部分を受信することに少なくとも部分的に基づいて前記PBCHを復号するための手段と
を備える装置。
【請求項２３】
前記PBCHの受信ビットが、ポーラ符号化されるとともにランダムにインターリーブされ、前記PBCHを復号するための前記手段が、
前記PBCHの前記自己復号可能部分の中に含まれる前記PBCHのビットのセットに基づいて、前記PBCHのポーラ復号を実行するための手段を備える、
請求項22に記載の装置。
【請求項２４】
前記PBCHの前記受信ビットがSランダムインターリーブされる、請求項23に記載の装置。
【請求項２５】
前記PBCHの前記受信ビットが、三角形インターリーバ、畳み込みインターリーバ、矩形インターリーバ、または並列矩形インターリーバを使用してインターリーブされる、請求項23に記載の装置。
【請求項２６】
前記PBCHの受信ビットがポーラ符号化され、前記PBCHを復号するための前記手段が、
前記第1の帯域幅の外側のトーンに関連する前記PBCHのビットを、ポーラ符号のパンクチャドビットとして特徴づけるための手段を備える、
請求項22に記載の装置。
【請求項２７】
前記PBCHの受信ビットが低密度パリティチェック(LDPC)符号化され、前記PBCHを復号するための前記手段が、
前記PBCHの前記自己復号可能部分の中に含まれる前記PBCHのビットのセットを、LDPCグラフの少なくとも自己復号可能コアにマッピングするための手段を備える、
請求項22に記載の装置。
【請求項２８】
前記PBCHの受信ビットが、ポーラ符号化、低密度パリティチェック(LDPC)符号化、またはテールバイティング畳み込みコード(TBCC)符号化され、前記PBCHの前記自己復号可能部分の中に含まれる前記PBCHの符号化ビットが、すべてのPBCH情報を含む、請求項22に記載の装置。
【請求項２９】
前記PBCHの前記自己復号可能部分の中に含まれる前記PBCHの前記符号化ビットが、反復されたPBCH情報を含む、請求項28に記載の装置。
【請求項３０】
前記PBCHの前記自己復号可能部分の外側の前記PBCHの前記符号化ビットが、反復されたPBCH情報を含む、請求項28に記載の装置。
【請求項３１】
前記SSブロックが前記PBCHの前記自己復号可能部分を含むという指示を基地局から受信するための手段
をさらに備える、請求項22に記載の装置。
【請求項３２】
前記指示が前記同期信号の中でシグナリングされる、請求項31に記載の装置。
【請求項３３】
前記同期信号が、前記基地局のアンテナポートから送信される1次同期信号(PSS)、および前記基地局の前記アンテナポートから送信される2次同期信号(SSS)を備え、前記SSブロックが前記PBCHの前記自己復号可能部分を含むという前記指示を受信するための前記手段が、
前記PSSと前記SSSとの間の差分を検出するための手段を備える、
請求項32に記載の装置。
【請求項３４】
前記第1の帯域幅の第1の指示、同期信号周波数の第2の指示、またはそれらの組合せのうちの少なくとも1つを基地局から受信するための手段
をさらに備える、請求項22に記載の装置。
【請求項３５】
前記UEの受信機を前記第1の帯域幅にチューニングするための手段
をさらに備える、請求項22に記載の装置。
【請求項３６】
前記PBCHが、前記第2の帯域幅内で開始するとともに少なくとも前記第2の帯域幅内の同期信号周波数を中心として交互になるトーンマッピングに基づいて復号される、請求項22に記載の装置。
【請求項３７】
前記PBCHが、前記第2の帯域幅内で開始するとともに前記第2の帯域幅内で連続するトーンマッピングに基づいて復号される、請求項22に記載の装置。
【請求項３８】
前記PBCHの前記自己復号可能部分が、少なくとも第1のシンボルおよび第2のシンボルの中で受信され、前記第1のシンボルと前記第2のシンボルの両方にレートマッチングされる、請求項22に記載の装置。
【請求項３９】
前記PBCHが、少なくとも第1のシンボルおよび第2のシンボルを占有し、前記第1のシンボルにレートマッチングされるとともに前記第2のシンボルの中で反復される、請求項22に記載の装置。
【請求項４０】
前記PBCHが、複数のリソース要素の各々の中で擬似ランダム位相シフトに関連付けられる、請求項39に記載の装置。
【請求項４１】
前記同期信号が、1次同期信号(PSS)、2次同期信号(SSS)、またはそれらの組合せのうちの少なくとも1つを備える、請求項22に記載の装置。
【請求項４２】
ユーザ機器(UE)におけるワイヤレス通信のためのコンピュータ実行可能コードを記憶する非一時的コンピュータ可読記憶媒体であって、前記コードが、
同期信号(SS)ブロック内の同期信号を受信することであって、前記同期信号が第1の帯域幅を有する、受信することと、
前記SSブロックの物理ブロードキャストチャネル(PBCH)の少なくとも一部分を受信することであって、前記PBCHが、実質的に前記第1の帯域幅内の第2の帯域幅を有する自己復号可能部分、および前記第2の帯域幅の外側かつPBCH帯域幅内にある帯域幅を有する外側部分を備え、前記PBCH帯域幅が前記第1の帯域幅よりも大きい、受信することと、
前記PBCHの前記自己復号可能部分を受信することに少なくとも部分的に基づいて前記PBCHを復号することとを行うように、プロセッサによって実行可能である、
非一時的コンピュータ可読記憶媒体。
【請求項４３】
基地局におけるワイヤレス通信の方法であって、
同期信号(SS)ブロックの一部として少なくとも1つの同期信号を送信するステップであって、前記少なくとも1つの同期信号が第1の帯域幅を有する、ステップと、
前記第1の帯域幅よりも大きいPBCH帯域幅内で送信されるように物理ブロードキャストチャネル(PBCH)をフォーマットするステップであって、前記PBCHが、実質的に前記第1の帯域幅内にある第2の帯域幅内で送信されるべき自己復号可能部分、および前記第2の帯域幅の外側かつ前記PBCH帯域幅内にある帯域幅の中で送信されるべき外側部分を備える、ステップと、
前記SSブロックの一部として前記PBCHを送信するステップと
を備える方法。
【請求項４４】
前記PBCHのビットをポーラ符号化するステップと、
前記PBCHの前記ポーラ符号化ビットを少なくとも前記第2の帯域幅内でランダムにインターリーブするステップと
をさらに備える、請求項43に記載の方法。
【請求項４５】
前記PBCHの前記ポーラ符号化ビットをインターリーブするステップが、
前記PBCHの前記ポーラ符号化ビットをSランダムインターリーブするステップを備える、
請求項44に記載の方法。
【請求項４６】
前記PBCHのビットをポーラ符号化するステップと、
三角形インターリーバ、畳み込みインターリーバ、矩形インターリーバ、または並列矩形インターリーバを使用することによって、前記PBCHのポーラ符号化ビットをインターリーブするステップと
をさらに備える、請求項43に記載の方法。
【請求項４７】
前記PBCHのビットをポーラ符号化するステップと、
前記PBCHの、容量がより大きいポーラ符号化ビットを、前記第2の帯域幅にマッピングするステップと
をさらに備える、請求項43に記載の方法。
【請求項４８】
前記PBCHのビットを低密度パリティチェック(LDPC)符号化するステップと、
LDPCグラフの自己復号可能コアに関連する、前記PBCHの少なくともLDPC符号化ビットを、前記第2の帯域幅にマッピングするステップと
をさらに備える、請求項43に記載の方法。
【請求項４９】
ポーラ符号化、低密度パリティチェック(LDPC)符号化、またはテールバイティング畳み込みコード(TBCC)符号化を使用して、前記PBCHのビットを符号化するステップと、
すべてのPBCH情報を表す符号化ビットを前記第2の帯域幅にマッピングするステップと
をさらに備える、請求項43に記載の方法。
【請求項５０】
反復されたPBCH情報を表す符号化ビットを前記第2の帯域幅にマッピングするステップ
をさらに備える、請求項49に記載の方法。
【請求項５１】
反復されたPBCH情報を表す符号化ビットを前記第2の帯域幅の外側の前記PBCH帯域幅の一部分にマッピングするステップ
をさらに備える、請求項49に記載の方法。
【請求項５２】
前記SSブロックが前記PBCHの前記自己復号可能部分を含むという指示を送信するステップ
をさらに備える、請求項43に記載の方法。
【請求項５３】
前記指示を送信するステップが、
前記少なくとも1つの同期信号の中で前記指示をシグナリングするステップを備える、
請求項52に記載の方法。
【請求項５４】
前記少なくとも1つの同期信号が、前記基地局のアンテナポートから送信される1次同期信号(PSS)、および前記基地局の前記アンテナポートから送信される2次同期信号(SSS)を備え、前記少なくとも1つの同期信号の中で前記指示をシグナリングするステップが、
前記PSSと前記SSSとの間の差分の中で前記指示を符号化するステップを備える、
請求項53に記載の方法。
【請求項５５】
前記第1の帯域幅の第1の指示、同期信号周波数の第2の指示、またはそれらの組合せのうちの少なくとも1つを送信するステップ
をさらに備える、請求項43に記載の方法。
【請求項５６】
前記PBCHが、前記第2の帯域幅内で開始するとともに少なくとも前記第2の帯域幅内の同期信号周波数を中心として交互になるトーンマッピングを使用して、少なくとも前記第2の帯域幅の中のトーンにマッピングされる、請求項43に記載の方法。
【請求項５７】
前記PBCHが、前記第2の帯域幅内で開始するとともに前記第2の帯域幅内で連続するトーンマッピングを使用して、前記第2の帯域幅の中のトーンにマッピングされる、請求項43に記載の方法。
【請求項５８】
前記PBCHが、少なくとも第1のシンボルおよび第2のシンボルの中で送信され、前記第1のシンボルと前記第2のシンボルの両方にレートマッチングされる、請求項43に記載の方法。
【請求項５９】
前記PBCHが、少なくとも第1のシンボルおよび第2のシンボルの中で送信され、前記第1のシンボルにレートマッチングされるとともに前記第2のシンボルの中で反復される、請求項43に記載の方法。
【請求項６０】
前記PBCHが、複数のリソース要素の各々の中で擬似ランダム位相シフトに関連付けられる、請求項59に記載の方法。
【請求項６１】
前記少なくとも1つの同期信号が、1次同期信号(PSS)、2次同期信号(SSS)、またはそれらの組合せのうちの少なくとも1つを備える、請求項43に記載の方法。
【請求項６２】
基地局におけるワイヤレス通信のための装置であって、
プロセッサと、
前記プロセッサと電子通信しているメモリと、
前記メモリの中に記憶された命令とを備え、前記命令が、
同期信号(SS)ブロックの一部として少なくとも1つの同期信号を送信することであって、前記少なくとも1つの同期信号が第1の帯域幅を有する、送信することと、
前記第1の帯域幅よりも大きいPBCH帯域幅内で送信されるように物理ブロードキャストチャネル(PBCH)をフォーマットすることであって、前記PBCHが、実質的に前記第1の帯域幅内にある第2の帯域幅内で送信されるべき自己復号可能部分、および前記第2の帯域幅の外側かつ前記PBCH帯域幅内にある帯域幅の中で送信されるべき外側部分を備える、フォーマットすることと、
前記SSブロックの一部として前記PBCHを送信することとを行うように、前記プロセッサによって実行可能である、
装置。
【請求項６３】
基地局におけるワイヤレス通信のための装置であって、
同期信号(SS)ブロックの一部として少なくとも1つの同期信号を送信するための手段であって、前記少なくとも1つの同期信号が第1の帯域幅を有する、手段と、
前記第1の帯域幅よりも大きいPBCH帯域幅内で送信されるように物理ブロードキャストチャネル(PBCH)をフォーマットするための手段であって、前記PBCHが、実質的に前記第1の帯域幅内にある第2の帯域幅内で送信されるべき自己復号可能部分、および前記第2の帯域幅の外側かつ前記PBCH帯域幅内にある帯域幅の中で送信されるべき外側部分を備える、手段と、
前記SSブロックの一部として前記PBCHを送信するための手段と
を備える装置。
【請求項６４】
前記PBCHのビットをポーラ符号化するための手段と、
前記PBCHの前記ポーラ符号化ビットを少なくとも前記第2の帯域幅内でランダムにインターリーブするための手段と
をさらに備える、請求項63に記載の装置。
【請求項６５】
前記PBCHの前記ポーラ符号化ビットをインターリーブするための前記手段が、
前記PBCHの前記ポーラ符号化ビットをSランダムインターリーブするための手段を備える、
請求項64に記載の装置。
【請求項６６】
前記PBCHのビットをポーラ符号化するための手段と、
三角形インターリーバ、畳み込みインターリーバ、矩形インターリーバ、または並列矩形インターリーバを使用することによって、前記PBCHのポーラ符号化ビットをインターリーブするための手段と
をさらに備える、請求項63に記載の装置。
【請求項６７】
前記PBCHのビットをポーラ符号化するための手段と、
前記PBCHの、容量がより大きいポーラ符号化ビットを、前記第2の帯域幅にマッピングするための手段と
をさらに備える、請求項63に記載の装置。
【請求項６８】
前記PBCHのビットを低密度パリティチェック(LDPC)符号化するための手段と、
LDPCグラフの自己復号可能コアに関連する、前記PBCHの少なくともLDPC符号化ビットを、前記第2の帯域幅にマッピングするための手段と
をさらに備える、請求項63に記載の装置。
【請求項６９】
ポーラ符号化、低密度パリティチェック(LDPC)符号化、またはテールバイティング畳み込みコード(TBCC)符号化を使用して、前記PBCHのビットを符号化するための手段と、
すべてのPBCH情報を表す符号化ビットを前記第2の帯域幅にマッピングするための手段と
をさらに備える、請求項63に記載の装置。
【請求項７０】
反復されたPBCH情報を表す符号化ビットを前記第2の帯域幅にマッピングするための手段
をさらに備える、請求項69に記載の装置。
【請求項７１】
反復されたPBCH情報を表す符号化ビットを前記第2の帯域幅の外側の前記PBCH帯域幅の一部分にマッピングするための手段
をさらに備える、請求項69に記載の装置。
【請求項７２】
前記SSブロックが前記PBCHの前記自己復号可能部分を含むという指示を送信するための手段
をさらに備える、請求項63に記載の装置。
【請求項７３】
前記指示を送信するための前記手段が、
前記少なくとも1つの同期信号の中で前記指示をシグナリングするための手段を備える、
請求項72に記載の装置。
【請求項７４】
前記少なくとも1つの同期信号が、前記基地局のアンテナポートから送信される1次同期信号(PSS)、および前記基地局の前記アンテナポートから送信される2次同期信号(SSS)を備え、前記少なくとも1つの同期信号の中で前記指示をシグナリングするための前記手段が、
前記PSSと前記SSSとの間の差分の中で前記指示を符号化するための手段を備える、
請求項73に記載の装置。
【請求項７５】
前記第1の帯域幅の第1の指示、同期信号周波数の第2の指示、またはそれらの組合せのうちの少なくとも1つを送信するための手段
をさらに備える、請求項63に記載の装置。
【請求項７６】
前記PBCHが、前記第2の帯域幅内で開始するとともに少なくとも前記第2の帯域幅内の同期信号周波数を中心として交互になるトーンマッピングを使用して、少なくとも前記第2の帯域幅の中のトーンにマッピングされる、請求項63に記載の装置。
【請求項７７】
前記PBCHが、前記第2の帯域幅内で開始するとともに前記第2の帯域幅内で連続するトーンマッピングを使用して、前記第2の帯域幅の中のトーンにマッピングされる、請求項63に記載の装置。
【請求項７８】
前記PBCHが、少なくとも第1のシンボルおよび第2のシンボルの中で送信され、前記第1のシンボルと前記第2のシンボルの両方にレートマッチングされる、請求項63に記載の装置。
【請求項７９】
前記PBCHが、少なくとも第1のシンボルおよび第2のシンボルの中で送信され、前記第1のシンボルにレートマッチングされるとともに前記第2のシンボルの中で反復される、請求項63に記載の装置。
【請求項８０】
前記PBCHが、複数のリソース要素の各々の中で擬似ランダム位相シフトに関連付けられる、請求項79に記載の装置。
【請求項８１】
前記少なくとも1つの同期信号が、1次同期信号(PSS)、2次同期信号(SSS)、またはそれらの組合せのうちの少なくとも1つを備える、請求項63に記載の装置。
【請求項８２】
基地局におけるワイヤレス通信のためのコンピュータ実行可能コードを記憶する非一時的コンピュータ可読記憶媒体であって、前記コードが、
同期信号(SS)ブロックの一部として少なくとも1つの同期信号を送信することであって、前記少なくとも1つの同期信号が第1の帯域幅を有する、送信することと、
前記第1の帯域幅よりも大きいPBCH帯域幅内で送信されるように物理ブロードキャストチャネル(PBCH)をフォーマットすることであって、前記PBCHが、実質的に前記第1の帯域幅内にある第2の帯域幅内で送信されるべき自己復号可能部分、および前記第2の帯域幅の外側かつ前記PBCH帯域幅内にある帯域幅の中で送信されるべき外側部分を備える、フォーマットすることと、
前記SSブロックの一部として前記PBCHを送信することとを行うように、プロセッサによって実行可能である、
非一時的コンピュータ可読記憶媒体。
【発明の詳細な説明】
【技術分野】
【０００１】
相互参照
本特許出願は、2017年4月21日に出願されたLyらによる「Techniques to Encode or Decode a Self-Decodable Portion of a Physical Broadcast Channel in a Synchronization Signal Block」と題する米国仮特許出願第62/488,637号、および2017年9月27日に出願されたLyらによる「Techniques to Encode or Decode a Self-Decodable Portion of a Physical Broadcast Channel in a Synchronization Signal Block」と題する米国仮特許出願第62/564,030号、ならびに2018年1月23日に出願されたLyらによる「Techniques to Encode or Decode a Self-Decodable Portion of a Physical Broadcast Channel in a Synchronization Signal Block」と題する米国特許出願第15/877,976号の優先権を主張し、その各々が本出願の譲受人に譲渡される。
【０００２】
本開示は、たとえば、ワイヤレス通信システムに関し、より詳細には、同期信号(SS:Synchronization Signal)ブロックの中の物理ブロードキャストチャネル(PBCH:Physical Broadcast Channel)の自己復号可能部分を符号化または復号するための技法に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システムを含む。
【０００４】
ワイヤレス多元接続通信システムは、場合によってはユーザ機器(UE:User Equipment)と呼ばれる複数の通信デバイスのための通信を各々が同時にサポートする、いくつかの基地局を含み得る。ロングタームエボリューション(LTE)ネットワークまたはLTEアドバンスト(LTE-A)ネットワークでは、1つまたは複数の基地局のセットがeノードB(eNB:eNodeB)を規定し得る。次世代ネットワーク、ニューラジオ(NR:New Radio)ネットワーク、ミリ波(mmW)ネットワーク、または5Gネットワークでは、基地局はスマートラジオヘッド(または、ラジオヘッド(RH:Radio Head))またはアクセスノードコントローラ(ANC:Access Node Controller)の形態をとることがあり、ANCと通信しているスマートラジオヘッドのセットはgノードB(gNB:gNodeB)を規定する。基地局は、(たとえば、基地局からUEへの送信用の)ダウンリンクチャネル上および(たとえば、UEから基地局への送信用の)アップリンクチャネル上でUEのセットと通信し得る。
【０００５】
mmW周波数範囲(たとえば、28GHz、40GHz、60GHzなど)の中で動作するワイヤレスデバイスは、信号減衰(たとえば、経路損失)の増大に関連することがあり、信号減衰は、温度、気圧、回折などの様々な要因によって影響を受けることがある。その結果、エネルギーをコヒーレントに合成しこれらの周波数における経路損失を克服するために、ビームフォーミングなどの信号処理技法が使用され得る。いくつかの場合には、基地局は、信号が送信されるビームを変えながら信号を反復的に送信することによって、ブロードキャストチャネル上で信号を送信してよい(たとえば、基地局は、ビーム掃引を実行しながら複数のビームの各々において信号を送信してよい)。他の場合には、基地局は、信号が送信されるビームを変えることなく、ブロードキャストチャネル上で信号を反復的に送信してよい。場合によっては、基地局は、同期信号(SS)ブロックを規定する信号のグループを反復的に送信してよい。SSブロック内で送信される信号は、たとえば、1次同期信号(PSS:Primary Synchronization Signal)、2次同期信号(SSS:Secondary Synchronization Signal)、および/または物理ブロードキャストチャネル(PBCH)を含んでよい。これらの信号は、セル測定、ネットワークの獲得、または他の目的のために、UEによって使用され得る。
【発明の概要】
【発明が解決しようとする課題】
【０００６】
いくつかのユーザ機器(UE)は、狭帯域内のワイヤレススペクトルを介して送信を受信することしかできない場合があるか、または最大受信帯域幅がシステム帯域幅よりも小さいかもしくは別のデバイス(たとえば、基地局)の広帯域送信帯域幅よりも小さい場合がある。他のUEは、システム帯域幅の全体にわたるかまたは別のデバイス(たとえば、基地局)の広帯域送信帯域幅の全体にわたる、ワイヤレススペクトルを介して送信を受信することが可能であり得るが、電力を温存するために適切なとき、もっと狭い帯域内で動作されることがある。場合によっては、同期信号(SS)ブロックは、時分割多重化された物理ブロードキャストチャネル(PBCH)および1つまたは複数の同期信号のセットを含むことがある。同期信号は、PBCHよりも狭い帯域幅内で送信されることがある。本開示で説明する技法は、自己復号可能部分を含むPBCHを基地局が送信することを可能にし、PBCHが送信される帯域幅全体を介してPBCHを受信することなく、PBCHの自己復号可能部分をUEが復号することを可能にする。PBCHの自己復号可能部分は、実質的に、SSブロックの中で送信される少なくとも1つの同期信号の帯域幅内にある、帯域幅を有することがある。
【課題を解決するための手段】
【０００７】
一例では、UEにおけるワイヤレス通信の方法が説明される。方法は、SSブロック内の同期信号を受信することと、SSブロックのPBCHの少なくとも一部分を受信することであって、PBCHが自己復号可能部分および外側部分を備える、受信することと、PBCHの自己復号可能部分を受信することに少なくとも部分的に基づいてPBCHを復号することとを含んでよい。同期信号は第1の帯域幅を有してよい。PBCHの自己復号可能部分は、実質的に第1の帯域幅内の第2の帯域幅を有してよい。外側部分は、第2の帯域幅の外側かつPBCH帯域幅内にある帯域幅を有してよく、PBCH帯域幅は第1の帯域幅よりも大きくてよい。
【０００８】
一例では、UEにおけるワイヤレス通信のための装置が説明される。装置は、SSブロック内の同期信号を受信するための手段と、SSブロックのPBCHの少なくとも一部分を受信するための手段であって、PBCHが自己復号可能部分および外側部分を備える、手段と、PBCHの自己復号可能部分を受信することに少なくとも部分的に基づいてPBCHを復号するための手段とを含んでよい。同期信号は第1の帯域幅を有してよい。PBCHの自己復号可能部分は、実質的に第1の帯域幅内の第2の帯域幅を有してよい。外側部分は、第2の帯域幅の外側かつPBCH帯域幅内にある帯域幅を有してよく、PBCH帯域幅は第1の帯域幅よりも大きくてよい。
【０００９】
一例では、UEにおけるワイヤレス通信のための別の装置が説明される。装置は、プロセッサと、プロセッサと電子通信しているメモリと、メモリの中に記憶された命令とを含んでよい。命令は、SSブロック内の同期信号を受信することと、SSブロックのPBCHの少なくとも一部分を受信することであって、PBCHが自己復号可能部分および外側部分を備える、受信することと、PBCHの自己復号可能部分を受信することに少なくとも部分的に基づいてPBCHを復号することとを行うように、プロセッサによって実行可能であってよい。同期信号は第1の帯域幅を有してよい。PBCHの自己復号可能部分は、実質的に第1の帯域幅内の第2の帯域幅を有してよい。外側部分は、第2の帯域幅の外側かつPBCH帯域幅内にある帯域幅を有してよく、PBCH帯域幅は第1の帯域幅よりも大きくてよい。
【００１０】
一例では、UEにおけるワイヤレス通信のためのコンピュータ実行可能コードを記憶する非一時的コンピュータ可読媒体が説明される。コードは、SSブロック内の同期信号を受信することと、SSブロックのPBCHの少なくとも一部分を受信することであって、PBCHが自己復号可能部分および外側部分を備える、受信することと、PBCHの自己復号可能部分を受信することに少なくとも部分的に基づいてPBCHを復号することとを行うように、プロセッサによって実行可能であってよい。同期信号は第1の帯域幅を有してよい。PBCHの自己復号可能部分は、実質的に第1の帯域幅内の第2の帯域幅を有してよい。外側部分は、第2の帯域幅の外側かつPBCH帯域幅内にある帯域幅を有してよく、PBCH帯域幅は第1の帯域幅よりも大きくてよい。
【００１１】
上記で説明した方法、装置、および非一時的コンピュータ可読媒体のいくつかの例では、PBCHの受信ビットは、ポーラ符号化されるとともにランダムにインターリーブされてよく、PBCHを復号することは、PBCHの自己復号可能部分の中に含まれるPBCHのビットのセットに基づいて、PBCHのポーラ復号を実行することを含んでよい。これらの例のうちのいくつかでは、PBCHの受信ビットはSランダムインターリーブされてよい。
【００１２】
上記で説明した方法、装置、および非一時的コンピュータ可読媒体のいくつかの例では、PBCHの受信ビットは、三角形インターリーバ、畳み込みインターリーバ、矩形インターリーバ、または並列矩形インターリーバを使用してインターリーブされてよい。
【００１３】
上記で説明した方法、装置、および非一時的コンピュータ可読媒体のいくつかの例では、PBCHの受信ビットはポーラ符号化されてよく、PBCHを復号することは、第1の帯域幅の外側のトーンに関連するPBCHのビットを、ポーラ符号のパンクチャドビットとして特徴づけることを含んでよい。
【００１４】
上記で説明した方法、装置、および非一時的コンピュータ可読媒体のいくつかの例では、PBCHの受信ビットは低密度パリティチェック(LDPC)符号化されてよく、PBCHを復号することは、PBCHの自己復号可能部分の中に含まれるPBCHのビットのセットを、LDPCグラフの少なくとも自己復号可能コアにマッピングすることを含んでよい。
【００１５】
上記で説明した方法、装置、および非一時的コンピュータ可読媒体のいくつかの例では、PBCHの受信ビットは、ポーラ符号化、LDPC符号化、またはテールバイティング畳み込みコード(TBCC)符号化されてよく、PBCHの自己復号可能部分の中に含まれるPBCHの符号化ビットは、すべてのPBCH情報を含んでよい。いくつかの例では、PBCHの自己復号可能部分の中に含まれるPBCHの符号化ビットはまた、反復されたPBCH情報を含んでよい。いくつかの例では、PBCHの自己復号可能部分の外側のPBCHの符号化ビットは、反復されたPBCH情報を含んでよい。
【００１６】
上記で説明した方法、装置、および非一時的コンピュータ可読媒体のいくつかの例は、SSブロックがPBCHの自己復号可能部分を含むという指示を基地局から受信するための、プロセス、機能、手段、または命令をさらに含んでよい。いくつかの例では、指示は、少なくとも1つの同期信号の中でシグナリングされてよい。いくつかの例では、少なくとも1つの同期信号は、基地局のアンテナポートから送信される1次同期信号(PSS)、および基地局のそのアンテナポートから送信される2次同期信号(SSS)を含んでよく、SSブロックがPBCHの自己復号可能部分を含むという指示を受信することは、PSSとSSSとの間の差分を検出することを含んでよい。
【００１７】
上記で説明した方法、装置、および非一時的コンピュータ可読媒体のいくつかの例は、第1の帯域幅の第1の指示、同期信号周波数の第2の指示、またはそれらの組合せのうちの少なくとも1つを基地局から受信するための、プロセス、機能、手段、または命令をさらに含んでよい。
【００１８】
上記で説明した方法、装置、および非一時的コンピュータ可読媒体のいくつかの例は、UEの受信機を第1の帯域幅にチューニングするための、プロセス、機能、手段、または命令をさらに含んでよい。
【００１９】
上記で説明した方法、装置、および非一時的コンピュータ可読媒体のいくつかの例では、PBCHは、第2の帯域幅内で開始するとともに少なくとも第2の帯域幅内の同期信号周波数を中心として交互になるトーンマッピングに基づいて復号されてよい。
【００２０】
上記で説明した方法、装置、および非一時的コンピュータ可読媒体のいくつかの例では、PBCHは、第2の帯域幅内で開始するとともに第2の帯域幅内で連続するトーンマッピングに基づいて復号されてよい。
【００２１】
上記で説明した方法、装置、および非一時的コンピュータ可読媒体のいくつかの例では、PBCHの自己復号可能部分は、少なくとも第1のシンボルおよび第2のシンボルの中で受信されてよく、第1のシンボルと第2のシンボルの両方にレートマッチングされてよい。
【００２２】
上記で説明した方法、装置、および非一時的コンピュータ可読媒体のいくつかの例では、PBCHは、少なくとも第1のシンボルおよび第2のシンボルを占有してよく、第1のシンボルにレートマッチングされるとともに第2のシンボルの中で反復されてよい。いくつかの例では、PBCHは、複数のリソース要素の各々の中で擬似ランダム位相シフトに関連付けられてよい。
【００２３】
上記で説明した方法、装置、および非一時的コンピュータ可読媒体のいくつかの例では、少なくとも1つの同期信号は、PSS、SSS、またはそれらの組合せのうちの少なくとも1つを含んでよい。
【００２４】
一例では、基地局におけるワイヤレス通信の方法が説明される。方法は、SSブロックの一部として少なくとも1つの同期信号を送信することを含んでよい。少なくとも1つの同期信号は第1の帯域幅を有してよい。方法はまた、第1の帯域幅よりも大きいPBCH帯域幅内で送信されるようにPBCHをフォーマットすることと、SSブロックの一部としてPBCHを送信することとを含んでよい。PBCHは、実質的に第1の帯域幅内にある第2の帯域幅内で送信されるべき自己復号可能部分を含んでよい。PBCHは、第2の帯域幅の外側かつPBCH帯域幅内にある帯域幅の中で送信されるべき外側部分を含んでよい。
【００２５】
一例では、基地局におけるワイヤレス通信のための装置が説明される。装置は、SSブロックの一部として少なくとも1つの同期信号を送信するための手段を含んでよい。少なくとも1つの同期信号は第1の帯域幅を有してよい。装置はまた、第1の帯域幅よりも大きいPBCH帯域幅内で送信されるようにPBCHをフォーマットするための手段と、SSブロックの一部としてPBCHを送信するための手段とを含んでよい。PBCHは、実質的に第1の帯域幅内にある第2の帯域幅内で送信されるべき自己復号可能部分を含んでよい。PBCHは、第2の帯域幅の外側かつPBCH帯域幅内にある帯域幅の中で送信されるべき外側部分を含んでよい。
【００２６】
一例では、基地局におけるワイヤレス通信のための別の装置が説明される。装置は、プロセッサと、プロセッサと電子通信しているメモリと、メモリの中に記憶された命令とを含んでよい。命令は、SSブロックの一部として少なくとも1つの同期信号を送信するように、プロセッサによって実行可能であってよい。少なくとも1つの同期信号は第1の帯域幅を有してよい。命令はまた、第1の帯域幅よりも大きいPBCH帯域幅内で送信されるようにPBCHをフォーマットし、SSブロックの一部としてPBCHを送信するように、プロセッサによって実行可能であってよい。PBCHは、実質的に第1の帯域幅内にある第2の帯域幅内で送信されるべき自己復号可能部分を含んでよい。PBCHは、第2の帯域幅の外側かつPBCH帯域幅内にある帯域幅の中で送信されるべき外側部分を含んでよい。
【００２７】
一例では、基地局におけるワイヤレス通信のためのコンピュータ実行可能コードを記憶する非一時的コンピュータ可読媒体が説明される。コードは、SSブロックの一部として少なくとも1つの同期信号を送信するように、プロセッサによって実行可能であってよい。少なくとも1つの同期信号は第1の帯域幅を有してよい。コードはまた、第1の帯域幅よりも大きいPBCH帯域幅内で送信されるようにPBCHをフォーマットし、SSブロックの一部としてPBCHを送信するように、プロセッサによって実行可能であってよい。PBCHは、実質的に第1の帯域幅内にある第2の帯域幅内で送信されるべき自己復号可能部分を含んでよい。PBCHは、第2の帯域幅の外側かつPBCH帯域幅内にある帯域幅の中で送信されるべき外側部分を含んでよい。
【００２８】
上記で説明した方法、装置、および非一時的コンピュータ可読媒体のいくつかの例は、PBCHのビットをポーラ符号化し、PBCHのポーラ符号化ビットを少なくとも第2の帯域幅内でランダムにインターリーブするための、プロセス、機能、手段、または命令をさらに含んでよい。いくつかの例では、PBCHのポーラ符号化ビットをインターリーブすることは、PBCHのポーラ符号化ビットをSランダムインターリーブすることを含んでよい。
【００２９】
上記で説明した方法、装置、および非一時的コンピュータ可読媒体のいくつかの例は、PBCHのビットをポーラ符号化し、三角形インターリーバ、畳み込みインターリーバ、矩形インターリーバ、または並列矩形インターリーバを使用することによって、PBCHのポーラ符号化ビットをインターリーブするための、プロセス、機能、手段、または命令をさらに含んでよい。
【００３０】
上記で説明した方法、装置、および非一時的コンピュータ可読媒体のいくつかの例は、PBCHのビットをポーラ符号化し、PBCHの、容量がより大きいポーラ符号化ビットを、第2の帯域幅にマッピングするための、プロセス、機能、手段、または命令をさらに含んでよい。
【００３１】
上記で説明した方法、装置、および非一時的コンピュータ可読媒体のいくつかの例は、PBCHのビットをLDPC符号化し、LDPCグラフの自己復号可能コアに関連する、PBCHの少なくともLDPC符号化ビットを、第2の帯域幅にマッピングするための、プロセス、機能、手段、または命令をさらに含んでよい。
【００３２】
上記で説明した方法、装置、および非一時的コンピュータ可読媒体のいくつかの例は、ポーラ符号化、LDPC符号化、またはTBCC符号化を使用して、PBCHのビットを符号化し、すべてのPBCH情報を表す符号化ビットを第2の帯域幅にマッピングするための、プロセス、機能、手段、または命令をさらに含んでよい。いくつかの例では、方法、装置、および非一時的コンピュータ可読媒体は、反復されたPBCH情報を表す符号化ビットを第2の帯域幅にマッピングするための、プロセス、機能、手段、または命令をさらに含んでよい。いくつかの例では、方法、装置、および非一時的コンピュータ可読媒体は、反復されたPBCH情報を表す符号化ビットを第2の帯域幅の外側のPBCH帯域幅の一部分にマッピングするための、プロセス、機能、手段、または命令をさらに含んでよい。
【００３３】
上記で説明した方法、装置、および非一時的コンピュータ可読媒体のいくつかの例は、SSブロックがPBCHの自己復号可能部分を含むという指示を送信するための、プロセス、機能、手段、または命令をさらに含んでよい。いくつかの例では、指示を送信することは、少なくとも1つの同期信号の中で指示をシグナリングすることを含んでよい。いくつかの例では、少なくとも1つの同期信号は、基地局のアンテナポートから送信されるPSS、および基地局のそのアンテナポートから送信されるSSSを含んでよく、少なくとも1つの同期信号の中で指示をシグナリングすることは、PSSとSSSとの間の差分の中で指示を符号化することを含んでよい。
【００３４】
上記で説明した方法、装置、および非一時的コンピュータ可読媒体のいくつかの例は、第1の帯域幅の第1の指示、同期信号周波数の第2の指示、またはそれらの組合せのうちの少なくとも1つを送信するための、プロセス、機能、手段、または命令をさらに含んでよい。
【００３５】
上記で説明した方法、装置、および非一時的コンピュータ可読媒体のいくつかの例では、PBCHは、第2の帯域幅内で開始するとともに少なくとも第2の帯域幅内の同期信号周波数を中心として交互になるトーンマッピングを使用して、少なくとも第2の帯域幅の中のトーンにマッピングされてよい。
【００３６】
上記で説明した方法、装置、および非一時的コンピュータ可読媒体のいくつかの例では、PBCHは、第2の帯域幅内で開始するとともに第2の帯域幅内で連続するトーンマッピングを使用して、第2の帯域幅の中のトーンにマッピングされてよい。
【００３７】
上記で説明した方法、装置、および非一時的コンピュータ可読媒体のいくつかの例では、PBCHは、少なくとも第1のシンボルおよび第2のシンボルの中で送信されてよく、第1のシンボルと第2のシンボルの両方にレートマッチングされる。
【００３８】
上記で説明した方法、装置、および非一時的コンピュータ可読媒体のいくつかの例では、PBCHは、少なくとも第1のシンボルおよび第2のシンボルの中で送信されてよく、第1のシンボルにレートマッチングされるとともに第2のシンボルの中で反復される。
【００３９】
上記で説明した方法、装置、および非一時的コンピュータ可読媒体のいくつかの例では、PBCHは、複数のリソース要素の各々の中で擬似ランダム位相シフトに関連付けられてよい。
【００４０】
上記で説明した方法、装置、および非一時的コンピュータ可読媒体のいくつかの例では、少なくとも1つの同期信号は、PSS、SSS、またはそれらの組合せのうちの少なくとも1つを含んでよい。
【００４１】
上記は、以下の詳細な説明がよりよく理解され得るように、本開示による例の特徴および技術的利点をかなり広範に概説している。追加の特徴および利点が以下で説明される。開示する概念および具体例は、本開示の同じ目的を実行するために他の構造を修正または設計するための基礎として容易に利用され得る。そのような均等な構成は、添付の特許請求の範囲から逸脱しない。本明細書で開示する概念の特性、それらの編成と動作方法の両方が、関連する利点とともに、添付の図に関して検討されると以下の説明からよりよく理解されよう。図の各々は、例示および説明のために与えられるにすぎず、特許請求の範囲の限定の定義として与えられるものではない。
【００４２】
本発明の性質および利点のさらなる理解は、以下の図面を参照することによって実現され得る。添付の図面において、類似の構成要素または特徴は、同じ参照ラベルを有することがある。さらに、同じタイプの様々な構成要素が、参照ラベルの後に、ダッシュおよび類似の構成要素を区別する第2のラベルを続けることによって区別され得る。第1の参照ラベルのみが本明細書において使用される場合、説明は、第2の参照ラベルにかかわらず、同じ第1の参照ラベルを有する類似の構成要素のうちのいずれか1つに適用可能である。
【図面の簡単な説明】
【００４３】
【図１】本開示の様々な態様によるワイヤレス通信システムの一例を示す図である。
【図２】本開示の様々な態様による、周期的なブロードキャストチャネル送信時間区間(BCH TTI)内の同期信号(SS)ブロックの例示的なタイムラインを示す図である。
【図３】本開示の様々な態様によるmmWワイヤレス通信システムの一例を示す図である。
【図４】本開示の様々な態様による、同期信号および物理ブロードキャストチャネル(PBCH)のセットを含むSSブロックを示す図である。
【図５】本開示の様々な態様による、同期信号およびPBCHのセットを含むSSブロックを示す図である。
【図６】本開示の様々な態様による、SSブロックの中で送信されるPBCH用のトーンマッピングを示す図である。
【図７】本開示の様々な態様による、SSブロックの中で送信されるPBCH用のトーンマッピングを示す図である。
【図８】本開示の様々な態様による、基地局とユーザ機器(UE)との間の例示的なメッセージフローを示す図である。
【図９】本開示の様々な態様による、ワイヤレス通信における使用のための装置のブロック図である。
【図１０】本開示の様々な態様によるUEワイヤレス通信マネージャのブロック図である。
【図１１】本開示の様々な態様による、ワイヤレス通信における使用のための装置のブロック図である。
【図１２】本開示の様々な態様による基地局ワイヤレス通信マネージャのブロック図である。
【図１３】本開示の様々な態様による、ワイヤレス通信における使用のためのUEのブロック図である。
【図１４】本開示の様々な態様による、ワイヤレス通信における使用のための基地局のブロック図である。
【図１５】本開示の様々な態様による、UEにおけるワイヤレス通信のための方法の一例を示すフローチャートである。
【図１６】本開示の様々な態様による、UEにおけるワイヤレス通信のための方法の一例を示すフローチャートである。
【図１７】本開示の様々な態様による、基地局におけるワイヤレス通信のための方法の一例を示すフローチャートである。
【図１８】本開示の様々な態様による、基地局におけるワイヤレス通信のための方法の一例を示すフローチャートである。
【発明を実施するための形態】
【００４４】
ワイヤレス通信システム(たとえば、mmWシステム)は、通信のために指向性送信またはビームフォーミングされた送信(たとえば、ビーム)を利用し得る。たとえば、基地局は、異なる方向に関連する複数のビーム上で信号を送信し得る。いくつかの場合には、基地局は、基地局のカバレージエリア全体にわたって分散されたユーザ機器(UE)を対象とするメッセージまたは信号を送信するために、可能なビームの一部分(または、全部)にわたるビーム掃引に関与し得る。たとえば、基地局は、周期的なブロードキャストチャネル送信時間区間(BCH TTI)の間、異なるビーム上でSSブロックの複数のインスタンスを送信し得る。他の場合には、基地局は、周期的なBCH TTIの間、同じビーム上またはオムニ指向性方式で、同期信号(SS)ブロックの複数のインスタンスを送信し得る。
【００４５】
いくつかの例では、SSブロックは、1次同期信号(PSS)、2次同期信号(SSS)、物理ブロードキャストチャネル(PBCH)、および/または他の同期信号(たとえば、3次同期信号(TSS:Tertiary Synchronization Signal))を含んでよい。いくつかの例では、SSブロックの中に含まれる信号は、時分割多重化されたPSS、SSS、PBCH、および/または他の同期信号を含んでよい。たとえば、SSブロックの中に含まれる信号は、時分割多重化されている第1のPBCH、SSS、第2のPBCH、およびPSS(示された順序で送信される)、または時分割多重化された第1のPBCH、SSS、PSS、および第2のPBCH(示された順序で送信される)などを含んでよい。
【００４６】
SSブロックを受信するUEは、SSブロックに対してセル測定を実行してよく、場合によっては、SSブロックを送信した基地局に関連するネットワークを獲得し得る。SSブロックに少なくとも部分的に基づいてネットワークを獲得するとき、いくつかの例では、UEは、SSブロックのPSSからシンボルタイミングを、SSブロックのPSSとSSSとの組合せから物理セル識別情報(ID)を、SSSからフレームタイミングを、またSSブロックのPBCHからシステム情報(たとえば、最小システム情報(SI:System Information)のセット)を取得し得る。本開示で説明する技法は、自己復号可能部分を含むPBCHを基地局がSSブロックの中で送信することを可能にする。本開示で説明する技法はまた、PBCHが送信される帯域幅全体を介してPBCHを受信することなく、PBCHの自己復号可能部分をUEが復号することを可能にする。PBCHの自己復号可能部分は、実質的に、SSブロックの中で送信される少なくとも1つの同期信号の帯域幅内(たとえば、PSSおよび/またはSSSの帯域幅内)にある、帯域幅を有してよい。
【００４７】
以下の説明は例を提供するものであり、特許請求の範囲に記載された範囲、適用可能性、または例を限定するものではない。本開示の範囲を逸脱することなく、説明する要素の機能および構成に変更が加えられてよい。様々な例は、適宜に、様々な手順または構成要素を省略、置換、または追加してよい。たとえば、説明する方法は、説明する順序とは異なる順序で実行されてよく、様々な動作が加えられてよく、省略されてよく、または組み合わせられてよい。また、いくつかの例に関して説明する特徴が、いくつかの他の例では組み合わせられてよい。
【００４８】
図1は、本開示の様々な態様によるワイヤレス通信システム100の一例を示す。ワイヤレス通信システム100は、基地局105、UE115、およびコアネットワーク130を含む。いくつかの例では、ワイヤレス通信システム100は、ロングタームエボリューション(LTE)ネットワーク、LTEアドバンスト(LTE-A)ネットワーク、またはニューラジオ(NR)ネットワークであってよい。場合によっては、ワイヤレス通信システム100は、拡張された広帯域通信、超高信頼(すなわち、ミッションクリティカル)通信、低レイテンシ通信、および低コストで低複雑度のデバイスとの通信をサポートし得る。
【００４９】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100に示す通信リンク125は、UE115から基地局105へのアップリンク(UL)送信、または基地局105からUE115へのダウンリンク(DL)送信を含んでよい。制御情報およびデータは、様々な技法に従ってアップリンクチャネルまたはダウンリンク上で多重化され得る。制御情報およびデータは、たとえば、時分割多重化(TDM)技法、周波数分割多重化(FDM)技法、またはハイブリッドTDM-FDM技法を使用して、ダウンリンクチャネル上で多重化され得る。いくつかの例では、ダウンリンクチャネルのTTIの間に送信される制御情報は、カスケード方式で異なる制御領域の間で(たとえば、共通制御領域と1つまたは複数のUE固有制御領域との間で)分散されてよい。
【００５０】
UE115は、ワイヤレス通信システム100全体にわたって分散されてよく、各UE115は、固定またはモバイルであってよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE:Internet of Everything)デバイス、マシンタイプ通信(MTC:Machine Type Communication)デバイス、アプライアンス、自動車などであってよい。
【００５１】
場合によっては、UE115はまた、(たとえば、ピアツーピア(P2P:Peer-to-Peer)またはデバイス間(D2D:Device-to-Device)プロトコルを使用して)他のUEと直接通信できる場合がある。D2D通信を利用するUE115のグループのうちの1つまたは複数は、セルの地理的カバレージエリア110内にあってよい。そのようなグループの中の他のUE115は、セルの地理的カバレージエリア110の外側にあってよく、またはさもなければ基地局105からの送信を受信できないことがある。場合によっては、D2D通信を介して通信するUE115のグループは、各UE115がグループの中のすべての他のUE115へ送信する1対多(1:M)システムを利用し得る。いくつかの場合には、基地局105は、D2D通信のためのリソースのスケジューリングを容易にする。他の場合には、D2D通信は、基地局105とは独立して実行される。
【００５２】
MTCデバイスまたはIoTデバイスなどのいくつかのUE115は、低コストまたは低複雑度のデバイスであってよく、機械間の自動化された通信、すなわち、マシンツーマシン(M2M:Machine-to-Machine)通信を提供し得る。M2MまたはMTCは、人が介在することなく、デバイスが互いにまたは基地局と通信することを可能するデータ通信技術を指すことがある。たとえば、M2MまたはMTCは、センサーまたはメーターを統合して情報を測定または捕捉し、その情報を利用できる中央サーバまたはアプリケーションプログラムにその情報を中継するか、あるいはプログラムまたはアプリケーションと対話する人間にその情報を提示する、デバイスからの通信を指すことがある。いくつかのUE115は、情報を収集するように、または機械の自動化された動作を可能にするように、設計されてよい。MTCデバイス用の適用例の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースビジネス課金を含む。
【００５３】
場合によっては、MTCデバイスは、低減されたピークレートで半二重(一方向)通信を使用して動作し得る。MTCデバイスはまた、アクティブな通信に関与していないときに電力節約「ディープスリープ」モードに入るように構成されてよい。場合によっては、MTCデバイスまたはIoTデバイスは、ミッションクリティカル機能をサポートするように設計されてよく、ワイヤレス通信システムは、これらの機能のために超高信頼通信を提供するように構成され得る。
【００５４】
基地局105は、コアネットワーク130と、かつ互いに通信し得る。たとえば、基地局105は、バックホールリンク132(たとえば、S1など)を通じてコアネットワーク130とインターフェースし得る。基地局105は、バックホールリンク134(たとえば、X2など)を介して、直接または間接的に(たとえば、コアネットワーク130を通じて)のいずれかで互いに通信し得る。基地局105は、UE115との通信のための無線構成およびスケジューリングを実行し得るか、または基地局コントローラ(図示せず)の制御下で動作し得る。いくつかの例では、基地局105は、マクロセル、スモールセル、ホットスポットなどであってよい。基地局105は、eノードB(eNB)またはgノードB(gNB)と呼ばれることもある。
【００５５】
基地局105は、S1インターフェースによってコアネットワーク130に接続され得る。コアネットワークは発展型パケットコア(EPC:Evolved Packet Core)であってよく、発展型パケットコア(EPC)は、少なくとも1つのモビリティ管理エンティティ(MME:Mobility Management Entity)、少なくとも1つのサービングゲートウェイ(S-GW:Serving Gateway)、および少なくとも1つのパケットデータネットワーク(PDN:Packet Data Network)ゲートウェイ(P-GW)を含んでよい。MMEは、UE115とEPCとの間のシグナリングを処理する制御ノードであってよい。すべてのユーザインターネットプロトコル(IP)パケットは、それ自体がP-GWに接続され得るS-GWを通じて転送され得る。P-GWは、IPアドレス割振りならびに他の機能を提供し得る。P-GWは、ネットワーク事業者IPサービスに接続され得る。事業者IPサービスは、インターネット、イントラネット、IPマルチメディアサブシステム(IMS:IP Multimedia Subsystem)、およびパケット交換(PS:Packet-Switched)を含んでよい。
【００５６】
コアネットワーク130は、ユーザ認証、アクセス許可、トラッキング、IP接続性、および他のアクセス機能、ルーティング機能、またはモビリティ機能を提供し得る。基地局105などのネットワークデバイスのうちの少なくともいくつかは、アクセスノードコントローラ(ANC)の一例であり得るアクセスネットワークエンティティなどのサブコンポーネントを含んでよい。各アクセスネットワークエンティティは、その各々がスマートラジオヘッド、または送受信ポイント(TRP:Transmission/Reception Point)の一例であり得る、いくつかの他のアクセスネットワーク送信エンティティを通じて、いくつかのUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合されてよい。
【００５７】
時々、UE115は、基地局105との初期アクセス(獲得)プロシージャを実行し得、基地局105と同期し得、または基地局105によって送信される信号を測定し得る。初期アクセスプロシージャを実行するとき(または、同期するとき、もしくは測定を実行するとき)、UE115は、基地局105によって送信されるSSブロックを求めてワイヤレススペクトルを探索し得る。UE115が基地局105と(または、基地局105がアクセスを提供する先のネットワークを介して)通信し得るように、SSブロックは、UE115を基地局105と同期させるためにUE115によって使用できる情報を含んでよい。基地局105と同期した後、UE115は、ランダムアクセスプリアンブルを基地局105へ送信することによって、基地局105とのランダムアクセスプロシージャを開始してよい。
【００５８】
図2は、本開示の様々な態様による、周期的なBCH TTI内のSSブロック205の例示的なタイムライン200を示す。SSブロック205は、図1を参照しながら説明した基地局105のうちの1つまたは複数の態様の一例であってよい基地局によって送信され得る。UEは、SSブロック205のうちの1つまたは複数を受信し得る。UEは、図1を参照しながら説明したUE115のうちの1つまたは複数の態様の一例であってよい。
【００５９】
SSブロックバースト210は、L≧1であってL個のSSブロック205を含んでよく、(図示のように)L>1のときSSブロック205は連続して送信される。いくつかの例では、SSブロックバースト210内のSSブロック205は、ビーム掃引を使用して異なるビーム上で送信されてよい。他の例では、SSブロックバースト210内のSSブロック205は、同じビーム上またはオムニ指向性方式で送信されてよい。いくつかの例では、SSブロック205は、PBCH、ならびにPSSおよびSSSのうちの1つまたは複数を含んでよい。PBCHのペイロードは、SSブロックインデックスまたは他のタイミング情報を含んでよい。代替として、SSブロックインデックスは、PBCHの中に暗黙的に含まれてよい(たとえば、PBCH冗長性バージョン(RV:Redundancy Version)番号によって伝達される)。SSブロックインデックスは、SSブロック205のシーケンス内でのSSブロック205のタイミング(たとえば、SSブロックバースト210内でのSSブロック205のタイミング)を示してよい。SSブロックインデックスはまた、SSブロックバーストセット215内およびBCH TTI220内でのSSブロック205のタイミングをそのように示してよい(とはいえ、場合によっては、SSブロックバーストセット215内またはBCH TTI220内でのSSブロック205のタイミングを完全に決定するために、他のタイミング情報が、SSブロックインデックスによって示されるタイミングと組み合わせられることを必要とすることがある)。いくつかの例では、SSブロックインデックスはまた、SSブロック205が送信されるビームを示してよい(たとえば、SSブロックインデックスはビームインデックスを伝達し得る)。いくつかの例では、SSブロック205のSSSは、SSブロック205を送信した基地局の物理セルインデックス(PCI:Physical Cell Index)に少なくとも部分的に基づいてよい。
【００６０】
複数のSSブロックバースト210が、SSブロックバーストセット215内で送信されてよい。いくつかの例では、SSブロックバーストセット215の中のSSブロックバースト210は、異なるPBCH RVに関連してよい。場合によっては、SSブロックバーストセット215は、n個のSSブロックバースト210を含んでよい。SSブロックバーストセット215内のSSブロックバースト210は、時間的に分離されてよい。
【００６１】
複数のSSブロックバーストセット215が、BCH TTI220内で送信されてよい。本開示では、SSブロックがSSブロックバースト210に割り振られるのかそれともSSブロックバーストセット215に割り振られるのかにかかわらず、BCH TTIは、複数のSSブロックが同じシステム情報を用いて送信される任意の時間区間を含むように規定される。いくつかの例では、BCH TTI220の中のSSブロックバーストセット215は、異なるSSSに関連してよい。場合によっては、BCH TTI220は、m個のSSブロックバーストセット215を含んでよい(たとえば、SSブロックバーストセットが20msの周期性を有し、BCH TTI220が80msの周期性を有すると、m=4個のSSブロックバーストセット)。
【００６２】
m=2、n=4、かつL=14のとき、BCH TTI220内で送信されるSSブロック205の個数は112(たとえば、(m)(n)(L)=112)であり得る。他の例では、m、n、およびLの値は、もっと大きくてももっと小さくてもよい。とにかく、SSブロック205のうちの1つを受信するUEは、SSブロックバースト210、SSブロックバーストセット215、および/またはBCH TTI220内での、SSブロック205のタイミングを決定する必要があり得る。
【００６３】
図3は、本開示の様々な態様によるmmWワイヤレス通信システム300の一例を示す。mmWワイヤレス通信システム300は、図1を参照しながら説明した基地局105またはUE115のうちの1つまたは複数の態様の例であってよい基地局305およびUE315を含んでよい。
【００６４】
mmW周波数における信号減衰および経路損失を克服するために、基地局305およびUE315は、1つまたは複数のビーム(すなわち、指向性ビーム)上で互いに通信し得る。図示のように、基地局305は、複数のビーム320上で(たとえば、第1のビーム320-a、第2のビーム320-b、第3のビーム320-c、第4のビーム320-d、第5のビーム320-e、および第6のビーム320-fを含む、たとえば、異なる指向性ビーム320上で)信号を送信してよい。他の例では、基地局305は、もっと多数またはもっと少数のビーム320上で送信してよい。
【００６５】
いくつかの例では、基地局305は、ビーム320の各々においてSSブロックを送信してよく、UE315は、ビーム320のうちの1つまたは複数においてSSブロックを受信し得る。UE315は、基地局305がアクセスを提供する先のネットワークを獲得するために、SSブロックのタイミング、およびSSブロックが受信されるビーム320を決定し得る。いくつかの例では、UE315は、2つ以上のSSブロックに対する復号メトリックを受信し、それらを合成した後、SSブロックのタイミングを決定し得、かつ/またはSSブロックが受信されるビーム320を識別し得る。
【００６６】
モバイルUEは基地局に接続し得、基地局に接続されている間、UEが接続される先の基地局によって送信される信号に対して(たとえば、サービングセルによって送信される信号に対して)、かつUEがハンドオーバされ得る先の他の基地局によって送信される信号に対して(たとえば、隣接セルによって送信される信号に対して)、セル測定を実行し得る。いくつかの例では、セル測定がそれに対して実行される送信信号は、SSブロックを含んでよい。SSブロックがビーム上で送信されると、UEは、SSブロックに関連するビームインデックスを識別することによって、SSブロックが送信されるビームを識別し得る。場合によっては、SSブロックに関連するビームインデックスを取得するために、SSブロックの中に含まれるPBCHが復号されることを必要とし得る。
【００６７】
図4は、本開示の様々な態様による、同期信号およびPBCHのセットを含むSSブロック400を示す。いくつかの例では、SSブロック400は、図1および図3を参照しながら説明した基地局のうちの1つによって送信されてよく、かつ/または図1および図3を参照しながら説明したUEのうちの1つによって受信され得る。
【００６８】
SSブロック400は、PSS405、SSS410、およびPBCH415を含んでよい。PSS405、SSS410、およびPBCH415は、PBCH415の第1の部分、次いでSSS410、次いでPSS405、かつ次いでPBCH415の第2の部分が1つまたは複数のシンボルの中で送信されるように、時分割多重化されてよい。PSS405およびSSS410は、第1の帯域幅内で送信されてよく、PBCH415は、第1の帯域幅よりも大きい第3の帯域幅内で送信されてよい。第3の帯域幅は、PBCH帯域幅と呼ばれることがある。図示のように、PBCH415は自己復号可能部分425を有してよい。PBCH415の自己復号可能部分425は、実質的に、PSS405およびSSS410によって占有される第1の帯域幅内にある、第2の帯域幅を有してよい(場合によっては、第2の帯域幅は第1の帯域幅に等しい)。いくつかの例では、第1および第2の帯域幅は127本のトーンを含んでよく、第3の帯域幅は288本のトーンを含んでよい。したがって、自己復号可能部分425の外側かつPBCH帯域幅内の帯域幅を占有する、PBCHの一部分があり得る。
【００６９】
いくつかの例では、UEは、PBCH415を復号するために、PSS405および/またはSSS410のタイミング(および、SSS410の中に含まれる物理セルID)を使用し得る。UEは、同じくまたは代替的に、PBCH415と同じシンボル(または、期間)の中で送信される復調基準信号(DMRS:Demodulation Reference Signal)420に少なくとも部分的に基づいてPBCH415を復号し得る(すなわち、DMRS420はPBCH415と周波数分割多重化されてよい)。
【００７０】
SSブロック400を受信するために、UEは、通常、UEの受信機を、より広い帯域幅(たとえば、少なくとも第3の帯域幅)にチューニングしてPBCH415を受信し得、より狭い帯域幅(たとえば、少なくとも第1の帯域幅)にチューニングしてPSS405およびSSS410を受信し得る。そのような再チューニングは効率的でないことがあり、狭い方の帯域の場合にはUEが可能でないことがある(たとえば、いくつかのUEは、第1の帯域幅、すなわち第3の帯域幅よりも小さい帯域幅しか受信できないことがある)。しかしながら、SSブロック400を送信した基地局のカバレージエリア内でUEが良好な幾何学的形状にあるとき、かつPBCH415が自己復号可能部分425を含むとき、再チューニングは回避され得る。「PBCHの自己復号可能部分」は、PBCHの他の部分(すなわち、第2の帯域幅の外側にある部分)に依拠することなく復号可能である、PBCHの一部分であるものと規定される。
【００７１】
場合によっては、SSブロック400を送信する基地局は、SSブロック400がPBCH415の自己復号可能部分425を含むという指示を送信してよい。いくつかの例では、指示は、PSS405および/またはSSS410の中でシグナリングされてよい。たとえば、PSS405およびSSS410が同じアンテナポートから送信されることを想定すると、SSブロック400がPBCH415の自己復号可能部分425を含むという指示は、PSSとSSSとの間の差分の中で符号化され得る(たとえば、基地局は、PBCH415の中に自己復号可能部分425を含むことを示すために+Sを、また自己復号可能部分425がないことを示すために-Sを送信してよく、ただし、S=PSSまたはSSSであり、UEは、PSSおよびSSSに基づいて+1または-1を検出する)。
【００７２】
いくつかの場合には、PSS405およびSSS410のロケーション、したがって、PBCH415の自己復号可能部分425は、システム帯域幅内で固定されてよい。他の場合には、PSS405およびSSS410のロケーション、したがって、PBCH415の自己復号可能部分425は、システム帯域幅内で浮動してよく、同期信号周波数430のロケーションに依存してよく、この同期信号周波数430は、SSブロック400を送信する基地局によって示されてよい。基地局はまた、PSS405、SSS410、またはPBCH415の自己復号可能部分425の帯域幅を示してよい。場合によっては、PBCHの一部分は、UEによって、いくつかの同期信号周波数に対して自己復号可能であってよいが、他の同期信号周波数に対して自己復号可能でなくてよい。
【００７３】
図5は、本開示の様々な態様による、同期信号およびPBCHのセットを含むSSブロック500を示す。いくつかの例では、SSブロック500は、図1および図3を参照しながら説明した基地局のうちの1つによって送信されてよく、かつ/または図1および図3を参照しながら説明したUEのうちの1つによって受信され得る。
【００７４】
SSブロック500は、PSS505、SSS510、およびPBCH515を含んでよい。PSS505、SSS510、およびPBCH515は、PBCH515の第1の部分、次いでSSS510、次いでPSS505、かつ次いでPBCH515の第2の部分が1つまたは複数のシンボルの中で送信されるように、時分割多重化されてよい。PSS505およびSSS510は、第1の帯域幅内で送信されてよく、PBCH515は、第1の帯域幅よりも大きい第3の帯域幅内で送信されてよい。その第3の帯域幅も、PBCH帯域幅と呼ばれることがある。図示のように、PBCH515は自己復号可能部分525を有してよい。PBCH515の自己復号可能部分525は、実質的に、PSS505およびSSS510によって占有される第1の帯域幅内にある、第2の帯域幅を有してよい(場合によっては、第2の帯域幅は第1の帯域幅に等しい)。いくつかの例では、第1および第2の帯域幅は127本のトーンを含んでよく、第3の帯域幅は288本のトーンを含んでよい。したがって、自己復号可能部分525の外側かつPBCH帯域幅内の帯域幅を占有する、PBCHの一部分があり得る。
【００７５】
いくつかの例では、UEは、PBCH515を復号するために、PSS505および/またはSSS510のタイミング(および、SSS510の中に含まれる物理セルID)を使用し得る。UEは、同じくまたは代替的に、PBCH515と同じシンボル(または、期間)の中で送信されるDMRS520に少なくとも部分的に基づいてPBCH515を復号し得る(すなわち、DMRS520はPBCH515と周波数分割多重化されてよい)。
【００７６】
SSブロック500を受信するために、UEは、通常、UEの受信機を、より広い帯域幅(たとえば、少なくとも第3の帯域幅)にチューニングしてPBCH515を受信し得、より狭い帯域幅(たとえば、少なくとも第1の帯域幅)にチューニングしてPSS505およびSSS510を受信し得る。そのような再チューニングは効率的でないことがあり、狭い方の帯域の場合にはUEが可能でないことがある(たとえば、いくつかのUEは、第1の帯域幅、すなわち第3の帯域幅よりも小さい帯域幅しか受信できないことがある)。しかしながら、SSブロック500を送信した基地局のカバレージエリア内でUEが良好な幾何学的形状にあるとき、かつPBCH515が自己復号可能部分525を含むとき、再チューニングは回避され得る。「PBCHの自己復号可能部分」は、PBCHの他の部分(すなわち、第2の帯域幅の外側にある部分)に依拠することなく復号可能である、PBCHの一部分であるものと規定される。
【００７７】
場合によっては、SSブロック500を送信する基地局は、SSブロック500がPBCH515の自己復号可能部分525を含むという指示を送信してよい。いくつかの例では、指示は、PSS505および/またはSSS510の中でシグナリングされてよい。たとえば、PSS505およびSSS510が同じアンテナポートから送信されることを想定すると、SSブロック500がPBCH515の自己復号可能部分525を含むという指示は、PSSとSSSとの間の差分の中で符号化され得る(たとえば、基地局は、PBCH515の中に自己復号可能部分525を含むことを示すために+Sを、また自己復号可能部分525がないことを示すために-Sを送信してよく、ただし、S=PSSまたはSSSであり、UEは、PSSおよびSSSに基づいて+1または-1を検出する)。
【００７８】
いくつかの場合には、PSS505およびSSS510のロケーション、したがって、PBCH515の自己復号可能部分525は、システム帯域幅内で固定されてよい。他の場合には、PSS505およびSSS510のロケーション、したがって、PBCH515の自己復号可能部分525は、システム帯域幅内で浮動してよく、同期信号周波数530のロケーションに依存してよく、この同期信号周波数530は、SSブロック500を送信する基地局によって示されてよい。基地局はまた、PSS505、SSS510、またはPBCH515の自己復号可能部分525の帯域幅を示してよい。場合によっては、PBCHの一部分は、UEによって、いくつかの同期信号周波数に対して自己復号可能であってよいが、他の同期信号周波数に対して自己復号可能でなくてよい。図4を参照しながら説明した同期信号周波数430とは対照的に、同期信号周波数530はもっと高い周波数であってよく、システム帯域幅(すなわち、第3の帯域幅)の中心周波数からオフセットされてよい。
【００７９】
基地局は、PBCHの自己復号可能部分(たとえば、図4を参照しながら説明した自己復号可能部分425または図5を参照しながら説明した自己復号可能部分525)を、自己復号可能であるように様々な方法でフォーマットしてよい。たとえば、基地局は、PBCHのビットをポーラ符号化してよく、たとえば、知られているランダムな並べ替えを使用して、PBCHのポーラ符号化ビットをPBCHの自己復号可能帯域幅(たとえば、PSS/SSS帯域幅)内でランダムにインターリーブしてよい。いくつかの例では、PBCHのポーラ符号化ビットをインターリーブすることは、PBCHのポーラ符号化ビットをSランダムインターリーブすることを含んでよい。Sランダムインターリーバは、距離S内の入力シンボルがインターリーバの出力において距離S内に出現しないという制約を伴う、知られているランダムな並べ替えに従ってビットをインターリーブし得る。いくつかの例では、PBCHのポーラ符号化ビットをインターリーブすることは、三角形インターリーバ、畳み込みインターリーバ、または矩形インターリーバおよびその変形(たとえば、並列矩形インターリーバなど)の使用を含んでよい。他のタイプのインターリーバが使用されてよい。
【００８０】
いくつかの例では、PBCHのビットがポーラ符号化されてよく、PBCHの、容量がより大きいポーラ符号化ビットが、PBCHの自己復号可能帯域幅(たとえば、PSS/SSS帯域幅)にマッピングされてよい。
【００８１】
いくつかの例では、PBCHのビットがLDPC符号化されてよく、LDPCグラフの自己復号可能コアに関連する、PBCHの少なくともLDPC符号化ビットが、PBCHの自己復号可能帯域幅(たとえば、PSS/SSS帯域幅)にマッピングされてよい。LDPCグラフの自己復号可能コアは、システマティックビット(systematic bit)および2次パリティビットを含んでよく、いくつかの例では、1次パリティノードまたは他のパリティノードを含んでよい。ただし、LDPCグラフの自己復号可能コアは、1次ノードだけを含まなくてもよい。k次ノードは、LDPCグラフにおいてkという次数を有する変数ノードである。
【００８２】
いくつかの例では、PBCHのビットは、ポーラ符号化、LDPC符号化、またはTBCC符号化されてよく、すべてのPBCH情報を表す符号化ビットが、PBCHの自己復号可能帯域幅(たとえば、PSS/SSS帯域幅)にマッピングされてよい。これらの例のうちのいくつかでは、反復されたPBCH情報を表す符号化ビットも第2の帯域幅にマッピングされてよく、かつ/または反復されたPBCH情報を表す符号化ビットはまた、第2の帯域幅の外側の第3の帯域幅の一部分にマッピングされてよい。
【００８３】
図6は、本開示の様々な態様による、SSブロックの中で送信されるPBCH用のトーンマッピング600を示す。トーンマッピング600によれば、PBCHは、最初に自己復号可能帯域幅605(たとえば、PSS/SSS帯域幅)の中のトーンに、次いで自己復号可能帯域幅605の外側のトーンにマッピングされてよい。自己復号可能帯域幅605内で、PBCHは、同期信号周波数(すなわち、DCキャリア)に関するトーンにマッピングされてよく、PBCHが自己復号可能帯域幅605の中のすべてのトーンにマッピングされるまで、PBCHは同期信号周波数を中心として交互になるトーンにマッピングされる。PBCHは、次いで、類似のまたは異なる方式で自己復号可能帯域幅605の外側のトーンにマッピングされてよい。PBCHが複数のシンボル期間の中で送信されるとき、PBCHは、最初に各シンボル期間の自己復号可能帯域幅605の中のトーンに、次いで自己復号可能帯域幅605の外側のトーンにマッピングされてよい。
【００８４】
図7は、本開示の様々な態様による、SSブロックの中で送信されるPBCH用のトーンマッピング700を示す。トーンマッピング700によれば、PBCHは、最初に自己復号可能帯域幅705(たとえば、PSS/SSS帯域幅)の中のトーンに、次いで自己復号可能帯域幅705の外側のトーンにマッピングされてよい。自己復号可能帯域幅705内で、PBCHが自己復号可能帯域幅705の中のすべてのトーンにマッピングされるまで、PBCHは自己復号可能帯域幅705の一端において開始して連続的にトーンにマッピングされてよい。PBCHは、次いで、類似のまたは異なる方式で自己復号可能帯域幅705の外側のトーンにマッピングされてよい。PBCHが複数のシンボル期間の中で送信されるとき、PBCHは、最初に各シンボル期間の自己復号可能帯域幅705の中のトーンに、次いで自己復号可能帯域幅705の外側のトーンにマッピングされてよい。
【００８５】
PBCHが2つ以上のシンボル(たとえば、直交周波数分割多重化(OFDM)シンボル)を横断して送信されるとき、いくつかの例では、PBCHは、第1のシンボルと第2のシンボルの両方にレートマッチングされてよい。他の例では、PBCHは、第1のシンボルにレートマッチングされるとともに第2のシンボルの中で反復されてよい。いくつかの例では、PBCHは、複数のリソース要素の各々の中で擬似ランダム位相シフトに関連付けられてよい。擬似ランダム位相シフトは、物理セルID(PCID:Physical Cell ID)に依存してよく、同期的なネットワーク干渉の場合に干渉をランダム化する助けとなり得る。
【００８６】
図8は、本開示の様々な態様による、基地局805とUE815との間の例示的なメッセージフロー800を示す。基地局805およびUE815は、図1および図3を参照しながら説明した基地局およびUEの態様の例であってよい。
【００８７】
820において、基地局805は、第1の帯域幅の第1の指示、同期信号周波数の第2の指示、またはそれらの組合せを、UE815へ、またはUE815によって受信されるブロードキャスト送信の中で送信してよい。
【００８８】
825において、基地局805はSSブロックを送信してよい。SSブロックは、第1の帯域幅を有する少なくとも1つの同期信号を含んでよい。いくつかの例では、少なくとも1つの同期信号は、PSS、SSS、またはそれらの組合せのうちの少なくとも1つを含んでよい。SSブロックはまた、PBCHを含んでよい。PBCHは、第1の帯域幅よりも大きい第3の帯域幅を占有してよく、実質的に少なくとも1つの同期信号の第1の帯域幅内にある、第2の帯域幅内で送信される自己復号可能部分を含んでよい。いくつかの例では、PBCHのビットは、符号化されるとともに第2の帯域幅または第3の帯域幅にマッピングされてよい。いくつかの例では、PBCHは、第2の帯域幅内で開始するとともに少なくとも第2の帯域幅内の同期信号周波数を中心として交互になるトーンマッピングを使用して、少なくとも第2の帯域幅の中のトーンにマッピングされてよい。いくつかの例では、PBCHは、第2の帯域幅内で開始するとともに第2の帯域幅内で連続するトーンマッピングを使用して、第2の帯域幅の中のトーンにマッピングされてよい。いくつかの例では、PBCHは、少なくとも第1のシンボルおよび第2のシンボルの中で送信されてよく、第1のシンボルと第2のシンボルの両方にレートマッチングされてよい。いくつかの例では、PBCHは、少なくとも第1のシンボルおよび第2のシンボルの中で送信されてよく、第1のシンボルにレートマッチングされるとともに第2のシンボルの中で反復されてよい。いくつかの例では、PBCHは、複数のリソース要素の各々の中で擬似ランダム位相シフトに関連付けられてよい。
【００８９】
いくつかの例では、基地局805は、SSブロックがPBCHの自己復号可能部分を含むという指示を送信してよい。いくつかの例では、指示を送信することは、少なくとも1つの同期信号の中で指示をシグナリングすることを含んでよい。いくつかの例では、少なくとも1つの同期信号は、基地局の同じアンテナポートから送信されるPSSおよびSSSを含んでよく、少なくとも1つの同期信号の中で指示をシグナリングすることは、PSSとSSSとの間の差分の中で指示を符号化することを含んでよい。
【００９０】
いくつかの例では、基地局805は、PBCHのビットをポーラ符号化してよく、たとえば、知られているランダムな並べ替えを使用して、PBCHのポーラ符号化ビットをPBCHの自己復号可能帯域幅(たとえば、PSS/SSS帯域幅)内でランダムにインターリーブしてよい。いくつかの例では、PBCHのポーラ符号化ビットをインターリーブすることは、PBCHのポーラ符号化ビットをSランダムインターリーブすることを含んでよい。Sランダムインターリーバは、距離S内の入力シンボルがインターリーバの出力において距離S内に出現しないという制約を伴う、知られているランダムな並べ替えに従ってビットをインターリーブし得る。いくつかの例では、PBCHのポーラ符号化ビットをインターリーブすることは、三角形インターリーバ、畳み込みインターリーバ、または矩形インターリーバおよびその変形(たとえば、並列矩形インターリーバなど)の使用を含む、任意のタイプのインターリーバの使用を含んでよい。
【００９１】
いくつかの例では、基地局805は、PBCHのビットをポーラ符号化してよく、PBCHの、容量がより大きいポーラ符号化ビットを、PBCHの自己復号可能帯域幅(たとえば、PSS/SSS帯域幅)にマッピングしてよい。
【００９２】
いくつかの例では、基地局805は、PBCHのビットをLDPC符号化してよく、LDPCグラフの自己復号可能コアに関連する、PBCHの少なくともLDPC符号化ビットは、PBCHの自己復号可能帯域幅(たとえば、PSS/SSS帯域幅)にマッピングされてよい。
【００９３】
いくつかの例では、基地局805は、PBCHのビットをポーラ符号化、LDPC符号化、またはTBCC符号化してよく、すべてのPBCH情報を表す符号化ビットをPBCHの自己復号可能帯域幅(たとえば、PSS/SSS帯域幅)にマッピングしてよい。これらの例のうちのいくつかでは、反復されたPBCH情報を表す符号化ビットも第2の帯域幅にマッピングされてよく、かつ/または反復されたPBCH情報を表す符号化ビットはまた、第2の帯域幅の外側の第3の帯域幅の一部分にマッピングされてよい。
【００９４】
図9は、本開示の様々な態様による、ワイヤレス通信における使用のための装置905のブロック図900を示す。装置905は、図1、図3、および図8を参照しながら説明したUEのうちの1つまたは複数の態様の一例であってよい。装置905は、受信機910、UEワイヤレス通信マネージャ915、および送信機920を含んでよい。装置905はまた、プロセッサを含んでよい。これらの構成要素の各々は、(たとえば、1つまたは複数のバスを介して)互いに通信していてよい。
【００９５】
受信機910は、データもしくは制御信号または情報(すなわち、送信)を受信し得、それらの一部または全部は、様々な情報チャネル(たとえば、データチャネル、制御チャネルなど)に関連し得る。受信された信号もしくは情報、またはそれらに対して実行された測定値は、装置905の他の構成要素に渡されてよい。受信機910は、1つまたは複数のアンテナを含んでよい。
【００９６】
送信機920は、装置905の他の構成要素によって生成されたデータもしくは制御信号または情報(すなわち、送信)を送信し得、それらの一部または全部は、様々な情報チャネル(たとえば、データチャネル、制御チャネルなど)に関連し得る。いくつかの例では、送信機920は、トランシーバの中で受信機910と一緒に置かれてよい。たとえば、送信機920および受信機910は、図13を参照しながら説明するトランシーバ1330の態様の一例であってよい。送信機920は、受信機910によって使用される1つまたは複数のアンテナとは別個であってよい(または、それと共有されてよい)、1つまたは複数のアンテナを含んでよい。
【００９７】
UEワイヤレス通信マネージャ915および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、UEワイヤレス通信マネージャ915および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。
【００９８】
UEワイヤレス通信マネージャ915および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置され得る。いくつかの例では、UEワイヤレス通信マネージャ915および/またはその様々なサブコンポーネントのうちの少なくともいくつかは、本開示の様々な態様による別個の異なる構成要素であってよい。他の例では、UEワイヤレス通信マネージャ915および/またはその様々なサブコンポーネントのうちの少なくともいくつかは、限定はしないが、I/O構成要素、トランシーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。UEワイヤレス通信マネージャ915は、同期信号復号マネージャ925およびPBCH復号マネージャ930を含んでよい。
【００９９】
同期信号復号マネージャ925は、SSブロック内の同期信号を受信するために使用され得る。同期信号は第1の帯域幅を有してよい。いくつかの例では、少なくとも1つの同期信号は、PSS、SSS、またはそれらの組合せのうちの少なくとも1つを含んでよい。
【０１００】
PBCH復号マネージャ930は、SSブロックのPBCHの自己復号可能部分を受信するために使用され得る。PBCHの自己復号可能部分は、実質的に第1の帯域幅内の第2の帯域幅を有してよい。PBCHは、第1の帯域幅よりも大きい第3の帯域幅を有してよい。いくつかの例では、PBCHの自己復号可能部分は、少なくとも第1のシンボルおよび第2のシンボルの中で受信されてよく、第1のシンボルと第2のシンボルの両方にレートマッチングされてよい。いくつかの例では、PBCHは、少なくとも第1のシンボルおよび第2のシンボルを占有してよく、第1のシンボルにレートマッチングされるとともに第2のシンボルの中で反復されてよい。いくつかの例では、PBCHは、複数のリソース要素の各々の中で擬似ランダム位相シフトに関連付けられてよい。
【０１０１】
PBCH復号マネージャ930はまた、PBCHの自己復号可能部分に基づいてPBCHを復号するために使用され得る。いくつかの例では、PBCHは、第2の帯域幅内で開始するとともに少なくとも第2の帯域幅内の同期信号周波数を中心として交互になるトーンマッピングに基づいて復号され得る。いくつかの例では、PBCHは、第2の帯域幅内で開始するとともに第2の帯域幅内で連続するトーンマッピングに基づいて復号され得る。
【０１０２】
図10は、本開示の様々な態様によるUEワイヤレス通信マネージャ1015のブロック図1000を示す。UEワイヤレス通信マネージャ1015は、図9を参照しながら説明したUEワイヤレス通信マネージャ915の態様の一例であってよい。UEワイヤレス通信マネージャ1015は、随意のSSブロック構成マネージャ1025、随意のチューナー1030、同期信号復号マネージャ1035、およびPBCH復号マネージャ1040を含んでよい。PBCH復号マネージャ1040は、随意のポーラデコーダ1045、随意のLDPCデコーダ1050、または随意のTBCCデコーダ1055を含んでよい。これらの構成要素の各々は、(たとえば、1つまたは複数のバスを介して)互いに直接または間接的に通信し得る。同期信号復号マネージャ1035およびPBCH復号マネージャ1040は、図9を参照しながら説明した同期信号復号マネージャ925およびPBCH復号マネージャ930の例であってよい。
【０１０３】
SSブロック構成マネージャ1025は、第1の帯域幅の第1の指示、同期信号周波数の第2の指示、またはそれらの組合せのうちの少なくとも1つを基地局から受信するために使用され得る。
【０１０４】
チューナー1030は、UEワイヤレス通信マネージャ1015を含むUEの受信機を第1の帯域幅にチューニングするために使用され得る。
【０１０５】
同期信号復号マネージャ1035は、SSブロック内の同期信号を受信するために使用され得る。同期信号は第1の帯域幅を有してよい。いくつかの例では、少なくとも1つの同期信号は、PSS、SSS、またはそれらの組合せのうちの少なくとも1つを含んでよい。
【０１０６】
PBCH復号マネージャ1040は、SSブロックのPBCHの自己復号可能部分を受信するために使用され得る。PBCHの自己復号可能部分は、実質的に第1の帯域幅内の第2の帯域幅を有してよい。PBCHは、第1の帯域幅よりも大きい第3の帯域幅を有してよい。いくつかの例では、PBCHの自己復号可能部分は、少なくとも第1のシンボルおよび第2のシンボルの中で受信されてよく、第1のシンボルと第2のシンボルの両方にレートマッチングされてよい。いくつかの例では、PBCHは、少なくとも第1のシンボルおよび第2のシンボルを占有してよく、第1のシンボルにレートマッチングされるとともに第2のシンボルの中で反復されてよい。いくつかの例では、PBCHは、複数のリソース要素の各々の中で擬似ランダム位相シフトに関連付けられてよい。
【０１０７】
PBCH復号マネージャ1040はまた、PBCHの自己復号可能部分に基づいてPBCHを復号するために使用され得る。いくつかの例では、PBCHは、第2の帯域幅内で開始するとともに少なくとも第2の帯域幅内の同期信号周波数を中心として交互になるトーンマッピングに基づいて復号され得る。いくつかの例では、PBCHは、第2の帯域幅内で開始するとともに第2の帯域幅内で連続するトーンマッピングに基づいて復号され得る。
【０１０８】
いくつかの例では、SSブロック構成マネージャ1025は、同じくまたは代替的に、SSブロックがPBCHの自己復号可能部分を含むという指示を基地局から受信するために使用され得る。いくつかの例では、指示は、少なくとも1つの同期信号の中でシグナリングされてよい。いくつかの例では、少なくとも1つの同期信号は、基地局の同じアンテナポートから送信されるPSSおよびSSSを含んでよく、SSブロックがPBCHの自己復号可能部分を含むという指示を受信することは、PSSとSSSとの間の差分を検出することを含んでよい。
【０１０９】
いくつかの例では、PBCHの受信ビットは、ポーラ符号化されるとともにランダムにインターリーブされてよく、ポーラデコーダ1045は、PBCHの自己復号可能部分の中に含まれるPBCHのポーラ符号化ビットのセットに基づいて、PBCHのポーラ復号を実行するために使用され得る。いくつかの例では、PBCHの受信ビットはSランダムインターリーブされてよい。いくつかの例では、PBCHのポーラ符号化ビットをインターリーブすることは、三角形インターリーバ、畳み込みインターリーバ、または矩形インターリーバおよびその変形(たとえば、並列矩形インターリーバなど)の使用を含む、任意のタイプのインターリーバの使用を含んでよい。
【０１１０】
いくつかの例では、PBCHの受信ビットはポーラ符号化されてよく、ポーラデコーダ1045は、第1の帯域幅の外側のトーンに関連するPBCHのビットを、ポーラ符号のパンクチャドビットとして特徴づけてよい。
【０１１１】
いくつかの例では、PBCHの受信ビットはLDPC符号化されてよく、LDPCデコーダ1050は、PBCHの自己復号可能部分の中に含まれるPBCHのビットのセットを、LDPCグラフの少なくとも自己復号可能コアにマッピングするために使用され得る。
【０１１２】
いくつかの例では、PBCHの受信ビットは、ポーラ符号化、LDPC符号化、またはTBCC符号化されてよく、PBCHの自己復号可能部分の中に含まれるPBCHの符号化ビットは、すべてのPBCH情報を含んでよい。これらの例では、ポーラデコーダ1045、LDPCデコーダ1050、またはTBCCデコーダ1055は、PBCHの自己復号可能部分に基づいてPBCHを復号するために使用され得る。これらの例のうちのいくつかでは、PBCHの自己復号可能部分の中に含まれるPBCHの符号化ビットは、反復されたPBCH情報を含んでよく、かつ/またはPBCHの自己復号可能部分の外側のPBCHの符号化ビットは、反復されたPBCH情報を含んでよい。
【０１１３】
図11は、本開示の様々な態様による、ワイヤレス通信における使用のための装置1105のブロック図1100を示す。装置1105は、図1、図3、および図8を参照しながら説明した基地局のうちの1つまたは複数の態様の一例であってよい。装置1105は、受信機1110、基地局ワイヤレス通信マネージャ1115、および送信機1120を含んでよい。装置1105はまた、プロセッサを含んでよい。これらの構成要素の各々は、(たとえば、1つまたは複数のバスを介して)互いに通信していてよい。
【０１１４】
受信機1110は、データもしくは制御信号または情報(すなわち、送信)を受信し得、それらの一部または全部は、様々な情報チャネル(たとえば、データチャネル、制御チャネルなど)に関連し得る。受信された信号もしくは情報、またはそれらに対して実行された測定値は、装置1105の他の構成要素に渡されてよい。受信機1110は、1つまたは複数のアンテナを含んでよい。
【０１１５】
送信機1120は、装置1105の他の構成要素によって生成されたデータもしくは制御信号または情報(すなわち、送信)を送信し得、それらの一部または全部は、様々な情報チャネル(たとえば、データチャネル、制御チャネルなど)に関連し得る。いくつかの例では、送信機1120は、トランシーバの中で受信機1110と一緒に置かれてよい。たとえば、送信機1120および受信機1110は、図14を参照しながら説明するトランシーバ1450の態様の一例であってよい。送信機1120は、受信機1110によって使用される1つまたは複数のアンテナとは別個であってよい(または、それと共有されてよい)、1つまたは複数のアンテナを含んでよい。
【０１１６】
基地局ワイヤレス通信マネージャ1115および/またはその様々なサブコンポーネントのうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局ワイヤレス通信マネージャ1115および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。
【０１１７】
基地局ワイヤレス通信マネージャ1115および/またはその様々なサブコンポーネントのうちの少なくともいくつかは、機能の部分が1つまたは複数の物理デバイスによって異なる物理的ロケーションにおいて実装されるように分散されることを含めて、様々な位置に物理的に配置され得る。いくつかの例では、基地局ワイヤレス通信マネージャ1115および/またはその様々なサブコンポーネントのうちの少なくともいくつかは、本開示の様々な態様による別個の異なる構成要素であってよい。他の例では、基地局ワイヤレス通信マネージャ1115および/またはその様々なサブコンポーネントのうちの少なくともいくつかは、限定はしないが、I/O構成要素、トランシーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。基地局ワイヤレス通信マネージャ1115は、同期信号送信マネージャ1125、PBCHフォーマッタ1130、およびPBCH送信マネージャ1135を含んでよい。
【０１１８】
同期信号送信マネージャ1125は、SSブロックの一部として少なくとも1つの同期信号を送信するために使用され得る。少なくとも1つの同期信号は第1の帯域幅を有してよい。いくつかの例では、少なくとも1つの同期信号は、PSS、SSS、またはそれらの組合せのうちの少なくとも1つを含んでよい。
【０１１９】
PBCHフォーマッタ1130は、第1の帯域幅よりも大きい第3の帯域幅内で送信されるようにPBCHをフォーマットするために使用され得る。PBCHは、実質的に第1の帯域幅内にある第2の帯域幅内で送信されるべき自己復号可能部分を含んでよい。いくつかの例では、PBCHは、第2の帯域幅内で開始するとともに少なくとも第2の帯域幅内の同期信号周波数を中心として交互になるトーンマッピングを使用して、少なくとも第2の帯域幅の中のトーンにマッピングされてよい。いくつかの例では、PBCHは、第2の帯域幅内で開始するとともに第2の帯域幅内で連続するトーンマッピングを使用して、第2の帯域幅の中のトーンにマッピングされてよい。
【０１２０】
PBCH送信マネージャ1135は、SSブロックの一部としてPBCHを送信するために使用され得る。いくつかの例では、PBCHは、少なくとも第1のシンボルおよび第2のシンボルの中で送信されてよく、第1のシンボルと第2のシンボルの両方にレートマッチングされてよい。いくつかの例では、PBCHは、少なくとも第1のシンボルおよび第2のシンボルの中で送信されてよく、第1のシンボルにレートマッチングされるとともに第2のシンボルの中で反復されてよい。いくつかの例では、PBCHは、複数のリソース要素の各々の中で擬似ランダム位相シフトに関連付けられてよい。
【０１２１】
図12は、本開示の様々な態様による基地局ワイヤレス通信マネージャ1215のブロック図1200を示す。基地局ワイヤレス通信マネージャ1215は、図11を参照しながら説明した基地局ワイヤレス通信マネージャ1115の態様の一例であってよい。基地局ワイヤレス通信マネージャ1215は、随意のSSブロック構成マネージャ1225、同期信号送信マネージャ1230、PBCHフォーマッタ1235、およびPBCH送信マネージャ1240を含んでよい。PBCHフォーマッタ1235は、随意のポーラエンコーダ1245、随意のLDPCエンコーダ1250、または随意のTBCCエンコーダ1255を含んでよい。これらの構成要素の各々は、(たとえば、1つまたは複数のバスを介して)互いに直接または間接的に通信し得る。同期信号送信マネージャ1230、PBCHフォーマッタ1235、およびPBCH送信マネージャ1240は、図11を参照しながら説明した同期信号送信マネージャ1125、PBCHフォーマッタ1130、およびPBCH送信マネージャ1135の例であってよい。
【０１２２】
SSブロック構成マネージャ1225は、第1の帯域幅の第1の指示、同期信号周波数の第2の指示、またはそれらの組合せのうちの少なくとも1つを送信するために使用され得る。
【０１２３】
同期信号送信マネージャ1230は、SSブロックの一部として少なくとも1つの同期信号を送信するために使用され得る。少なくとも1つの同期信号は第1の帯域幅を有してよい。いくつかの例では、少なくとも1つの同期信号は、PSS、SSS、またはそれらの組合せのうちの少なくとも1つを含んでよい。
【０１２４】
PBCHフォーマッタ1235は、第1の帯域幅よりも大きい第3の帯域幅内で送信されるようにPBCHをフォーマットするために使用され得る。PBCHは、実質的に第1の帯域幅内にある第2の帯域幅内で送信されるべき自己復号可能部分を含んでよい。いくつかの例では、PBCHフォーマッタ1235は、PBCHのビットを符号化してよく、PBCHの符号化ビットを第2の帯域幅または第3の帯域幅にマッピングしてよい。いくつかの例では、PBCHフォーマッタ1235は、第2の帯域幅内で開始するとともに少なくとも第2の帯域幅内の同期信号周波数を中心として交互になるトーンマッピングを使用して、少なくとも第2の帯域幅の中のトーンにPBCHをマッピングしてよい。いくつかの例では、PBCHフォーマッタ1235は、第2の帯域幅内で開始するとともに第2の帯域幅内で連続するトーンマッピングを使用して、第2の帯域幅の中のトーンにPBCHをマッピングしてよい。
【０１２５】
PBCH送信マネージャ1240は、SSブロックの一部としてPBCHを送信するために使用され得る。いくつかの例では、PBCHは、少なくとも第1のシンボルおよび第2のシンボルの中で送信されてよく、第1のシンボルと第2のシンボルの両方にレートマッチングされてよい。いくつかの例では、PBCHは、少なくとも第1のシンボルおよび第2のシンボルの中で送信されてよく、第1のシンボルにレートマッチングされるとともに第2のシンボルの中で反復されてよい。いくつかの例では、PBCHは、複数のリソース要素の各々の中で擬似ランダム位相シフトに関連付けられてよい。
【０１２６】
いくつかの例では、SSブロック構成マネージャ1225は、同じくまたは代替的に、SSブロックがPBCHの自己復号可能部分を含むという指示を送信してよい。いくつかの例では、指示を送信することは、少なくとも1つの同期信号の中で指示をシグナリングすることを含んでよい。いくつかの例では、少なくとも1つの同期信号は、基地局の同じアンテナポートから送信されるPSSおよびSSSを含んでよく、少なくとも1つの同期信号の中で指示をシグナリングすることは、PSSとSSSとの間の差分の中で指示を符号化することを含んでよい。
【０１２７】
いくつかの例では、ポーラエンコーダ1245は、PBCHのビットをポーラ符号化し、PBCHのポーラ符号化ビットを少なくとも第2の帯域幅内でランダムにインターリーブするために使用され得る。いくつかの例では、PBCHのポーラ符号化ビットをインターリーブすることは、PBCHのポーラ符号化ビットをSランダムインターリーブすることを含んでよい。いくつかの例では、PBCHのポーラ符号化ビットをインターリーブすることは、三角形インターリーバ、畳み込みインターリーバ、または矩形インターリーバおよびその変形(たとえば、並列矩形インターリーバなど)の使用を含む、任意のタイプのインターリーバの使用を含んでよい。
【０１２８】
いくつかの例では、ポーラエンコーダ1245は、PBCHのビットを符号化し、PBCHの、容量がより大きいポーラ符号化ビットを、第2の帯域幅にマッピングするために使用され得る。
【０１２９】
いくつかの例では、LDPCエンコーダは、PBCHのビットをLDPC符号化し、LDPCグラフの自己復号可能コアに関連する、PBCHの少なくともLDPC符号化ビットを、第2の帯域幅にマッピングするために使用され得る。
【０１３０】
いくつかの例では、ポーラエンコーダ1245、LDPCエンコーダ1250、またはTBCCエンコーダ1255は、ポーラ符号化、LDPC符号化、またはTBCC符号化を使用して、PBCHのビットを符号化するために使用されてよく、すべてのPBCH情報を表す符号化ビットを第2の帯域幅にマッピングしてよい。これらの例のうちのいくつかでは、反復されたPBCH情報を表す符号化ビットも第2の帯域幅にマッピングされてよく、かつ/または反復されたPBCH情報を表す符号化ビットはまた、第2の帯域幅の外側の第3の帯域幅の一部分にマッピングされてよい。
【０１３１】
図13は、本開示の様々な態様による、ワイヤレス通信における使用のためのUE1315のブロック図1300を示す。UE1315は、パーソナルコンピュータ(たとえば、ラップトップコンピュータ、ネットブックコンピュータ、タブレットコンピュータなど)、セルラー電話、PDA、デジタルビデオレコーダ(DVR)、インターネットアプライアンス、ゲーミングコンソール、電子リーダー、車両、アプライアンス、照明もしくは警報制御システムなどに含まれてよく、またはそれらの一部であってよい。UE1315は、いくつかの例では、モバイル動作を容易にするために、小型バッテリーなどの内部電源(図示せず)を有してよい。いくつかの例では、UE1315は、図1、図3、および図8を参照しながら説明したUEのうちの1つもしくは複数の態様または図9を参照しながら説明した装置の態様の一例であってよい。UE1315は、図1〜図10を参照しながら説明したUEまたは装置の技法または機能のうちの少なくともいくつかを実施するように構成され得る。
【０１３２】
UE1315は、プロセッサ1310、メモリ1320、少なくとも1つのトランシーバ(トランシーバ1330によって表される)、少なくとも1つのアンテナ(アンテナ1340によって表される)、またはUEワイヤレス通信マネージャ1350を含んでよい。これらの構成要素の各々は、1つまたは複数のバス1335を介して直接または間接的に互いに通信していてよい。
【０１３３】
メモリ1320は、ランダムアクセスメモリ(RAM)または読取り専用メモリ(ROM)を含んでよい。メモリ1320は、実行されたとき、たとえば、SSブロック内の、第1の帯域幅を有する同期信号を受信することと、SSブロックのPBCHの自己復号可能部分を受信することと(PBCHの自己復号可能部分は実質的に第1の帯域幅内の第2の帯域幅を有し、PBCHは第1の帯域幅よりも大きい第3の帯域幅を有する)、PBCHの自己復号可能部分に基づいてPBCHを復号することとを含む、ワイヤレス通信に関して本明細書で説明する様々な機能をプロセッサ1310に実行させるように構成される命令を含む、コンピュータ可読コンピュータ実行可能コード1325を記憶し得る。代替として、コンピュータ実行可能コード1325は、プロセッサ1310によって直接実行可能でなくてよいが、本明細書で説明する様々な機能をUE1315に(たとえば、コンパイルおよび実行されたとき)実行させるように構成されてよい。
【０１３４】
プロセッサ1310は、インテリジェントハードウェアデバイス、たとえば、中央処理装置(CPU)、マイクロコントローラ、ASICなどを含んでよい。プロセッサ1310は、トランシーバ1330を通じて受信された情報、またはアンテナ1340を通じた送信のためにトランシーバ1330へ送られるべき情報を処理し得る。プロセッサ1310は、単独で、またはUEワイヤレス通信マネージャ1350とともに、1つまたは複数の無線周波数スペクトル帯域を介して通信する(または、それを介した通信を管理する)1つまたは複数の態様を処理し得る。
【０１３５】
トランシーバ1330は、送信用にパケットを変調するとともに被変調パケットをアンテナ1340に提供し、アンテナ1340から受信されたパケットを復調するように構成された、モデムを含んでよい。トランシーバ1330は、いくつかの例では、1つまたは複数の送信機および1つまたは複数の別個の受信機として実装され得る。トランシーバ1330は、1つまたは複数の無線周波数スペクトル帯域の中の通信をサポートし得る。トランシーバ1330は、図1、図3、図8、および図11を参照しながら説明した基地局または装置のうちの1つまたは複数などの、1つまたは複数の基地局または装置と、アンテナ1340を介して双方向に通信するように構成され得る。
【０１３６】
UEワイヤレス通信マネージャ1350は、図1〜図10を参照しながら説明したUEまたは装置の技法または機能の一部または全部を実行または制御するように構成され得る。UEワイヤレス通信マネージャ1350またはその部分は、プロセッサを含んでよく、あるいはUEワイヤレス通信マネージャ1350の機能の一部または全部は、プロセッサ1310によって、またはプロセッサ1310とともに、実行され得る。いくつかの例では、UEワイヤレス通信マネージャ1350は、図8および図9を参照しながら説明したUEワイヤレス通信マネージャのうちの1つまたは複数の態様の一例であってよい。
【０１３７】
図14は、本開示の様々な態様による、ワイヤレス通信における使用のための基地局1405のブロック図1400を示す。いくつかの例では、基地局1405は、図1、図3、および図8を参照しながら説明した基地局のうちの1つもしくは複数の態様または図11を参照しながら説明した装置の態様の一例であってよい。基地局1405は、図1〜図8、図11、および図12を参照しながら説明した基地局または装置の技法または機能のうちの少なくともいくつかを実施または容易にするように構成され得る。
【０１３８】
基地局1405は、プロセッサ1410、メモリ1420、少なくとも1つのトランシーバ(トランシーバ1450によって表される)、少なくとも1つのアンテナ(アンテナ1455によって表される)、または基地局ワイヤレス通信マネージャ1460を含んでよい。基地局1405はまた、基地局コミュニケータ1430またはネットワークコミュニケータ1440のうちの1つまたは複数を含んでよい。これらの構成要素の各々は、1つまたは複数のバス1435を介して直接または間接的に互いに通信していてよい。
【０１３９】
メモリ1420は、RAMまたはROMを含んでよい。メモリ1420は、実行されたとき、たとえば、SSブロックの一部として、第1の帯域幅を有する少なくとも1つの同期信号を送信することと、第1の帯域幅よりも大きい第3の帯域幅内で送信されるようにPBCHをフォーマットすることと、SSブロックの一部としてPBCHを送信することとを含む、ワイヤレス通信に関して本明細書で説明する様々な機能をプロセッサ1410に実行させるように構成される命令を含む、コンピュータ可読コンピュータ実行可能コード1425を記憶し得る。PBCHは、実質的に第1の帯域幅内にある第2の帯域幅内で送信されるべき自己復号可能部分を含んでよい。代替として、コンピュータ実行可能コード1425は、プロセッサ1410によって直接実行可能でなくてよいが、本明細書で説明する様々な機能を基地局1405に(たとえば、コンパイルおよび実行されたとき)実行させるように構成されてよい。
【０１４０】
プロセッサ1410は、インテリジェントハードウェアデバイス、たとえば、CPU、マイクロコントローラ、ASICなどを含んでよい。プロセッサ1410は、トランシーバ1450、基地局コミュニケータ1430、またはネットワークコミュニケータ1440を通じて受信された情報を処理し得る。プロセッサ1410はまた、アンテナ1455を通じた送信のためにトランシーバ1450へ、または1つもしくは複数の他の基地局(たとえば、基地局1405-aおよび基地局1405-b)への送信のために基地局コミュニケータ1430へ、またはコアネットワーク1445への送信のためにネットワークコミュニケータ1440へ送られるべき情報を処理し得、コアネットワーク1445は、図1を参照しながら説明したコアネットワーク130の1つまたは複数の態様の一例であってよい。プロセッサ1410は、単独で、または基地局ワイヤレス通信マネージャ1460とともに、1つまたは複数の無線周波数スペクトル帯域を介して通信する(または、それを介した通信を管理する)1つまたは複数の態様を処理し得る。
【０１４１】
トランシーバ1450は、送信用にパケットを変調するとともに被変調パケットをアンテナ1455に提供し、アンテナ1455から受信されたパケットを復調するように構成された、モデムを含んでよい。トランシーバ1450は、いくつかの例では、1つまたは複数の送信機および1つまたは複数の別個の受信機として実装され得る。トランシーバ1450は、1つまたは複数の無線周波数スペクトル帯域の中の通信をサポートし得る。トランシーバ1450は、図1、図3、図8、および図9を参照しながら説明したUEまたは装置のうちの1つまたは複数などの、1つまたは複数のUEまたは装置と、アンテナ1455を介して双方向に通信するように構成され得る。基地局1405は、ネットワークコミュニケータ1440を通じてコアネットワーク1445と通信し得る。基地局1405はまた、基地局コミュニケータ1430を使用して基地局1405-aおよび基地局1405-bなどの他の基地局と通信し得る。
【０１４２】
基地局ワイヤレス通信マネージャ1460は、図1〜図8、図11、および図12を参照しながら説明した基地局または装置の技法または機能の一部または全部を実行または制御するように構成され得る。基地局ワイヤレス通信マネージャ1460またはその部分は、プロセッサを含んでよく、あるいは基地局ワイヤレス通信マネージャ1460の機能の一部または全部は、プロセッサ1410によって、またはプロセッサ1410とともに、実行され得る。いくつかの例では、基地局ワイヤレス通信マネージャ1460は、図11および図12を参照しながら説明した基地局ワイヤレス通信マネージャのうちの1つまたは複数の態様の一例であってよい。
【０１４３】
図15は、本開示の様々な態様による、UEにおけるワイヤレス通信のための方法1500の一例を示すフローチャートである。明快のために、方法1500は、図1、図3、図8、および図13を参照しながら説明したUEのうちの1つもしくは複数の態様、図9を参照しながら説明した装置の態様、または図9、図10、および図13を参照しながら説明したUEワイヤレス通信マネージャのうちの1つもしくは複数の態様を参照しながら以下で説明される。いくつかの例では、UEは、以下で説明する機能を実行するようにUEの機能要素を制御するためのコードの1つまたは複数のセットを実行し得る。追加または代替として、UEは、以下で説明する機能のうちの1つまたは複数を、専用ハードウェアを使用して実行し得る。
【０１４４】
ブロック1505において、方法1500は、SSブロック内の同期信号を受信することを含んでよい。同期信号は第1の帯域幅を有してよい。いくつかの例では、少なくとも1つの同期信号は、PSS、SSS、またはそれらの組合せのうちの少なくとも1つを含んでよい。いくつかの例では、ブロック1505における動作は、図9および図10を参照しながら説明した同期信号復号マネージャを使用して実行され得る。
【０１４５】
ブロック1510において、方法1500は、SSブロックのPBCHの少なくとも一部分を受信することを含んでよく、PBCHは、自己復号可能部分および外側部分を備える。PBCHの自己復号可能部分は、実質的に第1の帯域幅内の第2の帯域幅を有してよい。外側部分は、第2の帯域幅の外側かつPBCH帯域幅内にある帯域幅を有してよく、PBCH帯域幅は第1の帯域幅よりも大きい。
【０１４６】
いくつかの例では、PBCHの自己復号可能部分は、少なくとも第1のシンボルおよび第2のシンボルの中で受信されてよく、第1のシンボルと第2のシンボルの両方にレートマッチングされてよい。いくつかの例では、PBCHは、少なくとも第1のシンボルおよび第2のシンボルを占有してよく、第1のシンボルにレートマッチングされるとともに第2のシンボルの中で反復されてよい。いくつかの例では、PBCHは、複数のリソース要素の各々の中で擬似ランダム位相シフトに関連付けられてよい。いくつかの例では、ブロック1510における動作は、図9および図10を参照しながら説明したPBCH復号マネージャを使用して実行され得る。
【０１４７】
ブロック1515において、方法1500は、PBCHの自己復号可能部分を受信することに少なくとも部分的に基づいてPBCHを復号することを含んでよい。いくつかの例では、PBCHは、第2の帯域幅内で開始するとともに少なくとも第2の帯域幅内の同期信号周波数を中心として交互になるトーンマッピングに基づいて復号され得る。いくつかの例では、PBCHは、第2の帯域幅内で開始するとともに第2の帯域幅内で連続するトーンマッピングに基づいて復号され得る。いくつかの例では、ブロック1515における動作は、図9および図10を参照しながら説明したPBCH復号マネージャを使用して実行され得る。
【０１４８】
図16は、本開示の様々な態様による、UEにおけるワイヤレス通信のための方法1600の一例を示すフローチャートである。明快のために、方法1600は、図1、図3、図8、および図13を参照しながら説明したUEのうちの1つもしくは複数の態様、図9を参照しながら説明した装置の態様、または図9、図10、および図13を参照しながら説明したUEワイヤレス通信マネージャのうちの1つもしくは複数の態様を参照しながら以下で説明される。いくつかの例では、UEは、以下で説明する機能を実行するようにUEの機能要素を制御するためのコードの1つまたは複数のセットを実行し得る。追加または代替として、UEは、以下で説明する機能のうちの1つまたは複数を、専用ハードウェアを使用して実行し得る。
【０１４９】
ブロック1605において、方法1600は、第1の帯域幅の第1の指示、同期信号周波数の第2の指示、またはそれらの組合せのうちの少なくとも1つを基地局から受信することを随意に含んでよい。いくつかの例では、ブロック1605における動作は、図10を参照しながら説明したSSブロック構成マネージャを使用して実行され得る。
【０１５０】
ブロック1610において、方法1600は、UEの受信機を第1の帯域幅にチューニングすることを随意に含んでよい。いくつかの例では、ブロック1610における動作は、図10を参照しながら説明したチューナーを使用して実行され得る。
【０１５１】
ブロック1615において、方法1600は、SSブロック内の同期信号を受信することを含んでよい。同期信号は第1の帯域幅を有してよい。いくつかの例では、少なくとも1つの同期信号は、PSS、SSS、またはそれらの組合せのうちの少なくとも1つを含んでよい。いくつかの例では、ブロック1615における動作は、図9および図10を参照しながら説明した同期信号復号マネージャを使用して実行され得る。
【０１５２】
ブロック1620において、方法1600は、SSブロックのPBCHの少なくとも一部分を受信することを含んでよく、PBCHは、自己復号可能部分および外側部分を備える。PBCHの自己復号可能部分は、実質的に第1の帯域幅内の第2の帯域幅を有してよい。外側部分は、第2の帯域幅の外側かつPBCH帯域幅内にある帯域幅を有してよく、PBCH帯域幅は第1の帯域幅よりも大きい。
【０１５３】
いくつかの例では、PBCHは、少なくとも第1のシンボルおよび第2のシンボルを占有してよく、第1のシンボルにレートマッチングされるとともに第2のシンボルの中で反復されてよい。いくつかの例では、PBCHは、複数のリソース要素の各々の中で擬似ランダム位相シフトに関連付けられてよい。いくつかの例では、ブロック1620における動作は、図9および図10を参照しながら説明したPBCH復号マネージャを使用して実行され得る。
【０１５４】
ブロック1625において、方法1600は、PBCHの自己復号可能部分を受信することに少なくとも部分的に基づいてPBCHを復号することを含んでよい。いくつかの例では、PBCHは、第2の帯域幅内で開始するとともに少なくとも第2の帯域幅内の同期信号周波数を中心として交互になるトーンマッピングに基づいて復号され得る。いくつかの例では、PBCHは、第2の帯域幅内で開始するとともに第2の帯域幅内で連続するトーンマッピングに基づいて復号され得る。いくつかの例では、ブロック1625における動作は、図9および図10を参照しながら説明したPBCH復号マネージャを使用して実行され得る。
【０１５５】
いくつかの例では、方法1600は、SSブロックがPBCHの自己復号可能部分を含むという指示を基地局から受信することを含んでよい。いくつかの例では、指示は、少なくとも1つの同期信号の中でシグナリングされてよい。いくつかの例では、少なくとも1つの同期信号は、基地局の同じアンテナポートから送信されるPSSおよびSSSを含んでよく、SSブロックがPBCHの自己復号可能部分を含むという指示を受信することは、PSSとSSSとの間の差分を検出することを含んでよい。
【０１５６】
方法1600のいくつかの例では、PBCHの受信ビットは、ポーラ符号化されるとともにランダムにインターリーブされてよく、(ブロック1625において)PBCHを復号することは、PBCHの自己復号可能部分の中に含まれるPBCHのポーラ符号化ビットのセットに基づいて、PBCHのポーラ復号を実行することを含んでよい。いくつかの例では、PBCHの受信ビットはSランダムインターリーブされてよい。いくつかの例では、PBCHのポーラ符号化ビットをインターリーブすることは、三角形インターリーバ、畳み込みインターリーバ、または矩形インターリーバおよびその変形(たとえば、並列矩形インターリーバなど)の使用を含む、任意のタイプのインターリーバの使用を含んでよい。
【０１５７】
方法1600のいくつかの例では、PBCHの受信ビットはポーラ符号化されてよく、(ブロック1625において)PBCHを復号することは、第1の帯域幅の外側のトーンに関連するPBCHのビットを、ポーラ符号のパンクチャドビットとして特徴づけることを含んでよい。
【０１５８】
方法1600のいくつかの例では、PBCHの受信ビットはLDPC符号化されてよく、(ブロック1625において)PBCHを復号することは、PBCHの自己復号可能部分の中に含まれるPBCHのビットのセットを、LDPCグラフの少なくとも自己復号可能コアにマッピングすることを含んでよい。
【０１５９】
方法1600のいくつかの例では、PBCHの受信ビットは、ポーラ符号化、LDPC符号化、またはTBCC符号化されてよく、PBCHの自己復号可能部分の中に含まれるPBCHの符号化ビットは、すべてのPBCH情報を含んでよい。これらの例のうちのいくつかでは、PBCHの自己復号可能部分の中に含まれるPBCHの符号化ビットは、反復されたPBCH情報を含んでよく、かつ/またはPBCHの自己復号可能部分の外側のPBCHの符号化ビットは、反復されたPBCH情報を含んでよい。
【０１６０】
図17は、本開示の様々な態様による、基地局におけるワイヤレス通信のための方法1700の一例を示すフローチャートである。明快のために、方法1700は、図1、図3、図8、および図14を参照しながら説明した基地局のうちの1つもしくは複数の態様、図11を参照しながら説明した装置の態様、または図11、図12、および図14を参照しながら説明した基地局ワイヤレス通信マネージャのうちの1つもしくは複数の態様を参照しながら以下で説明される。いくつかの例では、基地局は、以下で説明する機能を実行するように基地局の機能要素を制御するためのコードの1つまたは複数のセットを実行し得る。追加または代替として、基地局は、以下で説明する機能のうちの1つまたは複数を、専用ハードウェアを使用して実行し得る。
【０１６１】
ブロック1705において、方法1700は、SSブロックの一部として少なくとも1つの同期信号を送信することを含んでよい。少なくとも1つの同期信号は第1の帯域幅を有してよい。いくつかの例では、少なくとも1つの同期信号は、PSS、SSS、またはそれらの組合せのうちの少なくとも1つを含んでよい。いくつかの例では、ブロック1705における動作は、図11および図12を参照しながら説明した同期信号送信マネージャを使用して実行され得る。
【０１６２】
ブロック1710において、方法1700は、第1の帯域幅よりも大きいPBCH帯域幅内で送信されるようにPBCHをフォーマットすることを含んでよい。PBCHは、実質的に第1の帯域幅内にある第2の帯域幅内で送信されるべき自己復号可能部分を含んでよい。PBCHはまた、第2の帯域幅の外側かつPBCH帯域幅内にある帯域幅の中で送信されるべき外側部分を含んでよい。
【０１６３】
いくつかの例では、PBCHは、第2の帯域幅内で開始するとともに少なくとも第2の帯域幅内の同期信号周波数を中心として交互になるトーンマッピングを使用して、少なくとも第2の帯域幅の中のトーンにマッピングされてよい。いくつかの例では、PBCHは、第2の帯域幅内で開始するとともに第2の帯域幅内で連続するトーンマッピングを使用して、第2の帯域幅の中のトーンにマッピングされてよい。いくつかの例では、ブロック1710における動作は、図11および図12を参照しながら説明したPBCHフォーマッタを使用して実行され得る。
【０１６４】
ブロック1715において、方法1700は、SSブロックの一部としてPBCHを送信することを含んでよい。いくつかの例では、PBCHは、少なくとも第1のシンボルおよび第2のシンボルの中で送信されてよく、第1のシンボルと第2のシンボルの両方にレートマッチングされてよい。いくつかの例では、PBCHは、少なくとも第1のシンボルおよび第2のシンボルの中で送信されてよく、第1のシンボルにレートマッチングされるとともに第2のシンボルの中で反復されてよい。いくつかの例では、PBCHは、複数のリソース要素の各々の中で擬似ランダム位相シフトに関連付けられてよい。いくつかの例では、ブロック1715における動作は、図11および図12を参照しながら説明したPBCH送信マネージャを使用して実行され得る。
【０１６５】
図18は、本開示の様々な態様による、基地局におけるワイヤレス通信のための方法1800の一例を示すフローチャートである。明快のために、方法1800は、図1、図3、図8、および図14を参照しながら説明した基地局のうちの1つもしくは複数の態様、図11を参照しながら説明した装置の態様、または図11、図12、および図14を参照しながら説明した基地局ワイヤレス通信マネージャのうちの1つもしくは複数の態様を参照しながら以下で説明される。いくつかの例では、基地局は、以下で説明する機能を実行するように基地局の機能要素を制御するためのコードの1つまたは複数のセットを実行し得る。追加または代替として、基地局は、以下で説明する機能のうちの1つまたは複数を、専用ハードウェアを使用して実行し得る。
【０１６６】
ブロック1805において、方法1800は、第1の帯域幅の第1の指示、同期信号周波数の第2の指示、またはそれらの組合せのうちの少なくとも1つを送信することを随意に含んでよい。いくつかの例では、ブロック1805における動作は、図12を参照しながら説明したSSブロック構成マネージャを使用して実行され得る。
【０１６７】
ブロック1810において、方法1800は、SSブロックの一部として少なくとも1つの同期信号を送信することを含んでよい。少なくとも1つの同期信号は第1の帯域幅を有してよい。いくつかの例では、少なくとも1つの同期信号は、PSS、SSS、またはそれらの組合せのうちの少なくとも1つを含んでよい。いくつかの例では、ブロック1810における動作は、図11および図12を参照しながら説明した同期信号送信マネージャを使用して実行され得る。
【０１６８】
ブロック1815において、方法1800は、第1の帯域幅よりも大きいPBCH帯域幅内で送信されるようにPBCHをフォーマットすることを含んでよい。PBCHは、実質的に第1の帯域幅内にある第2の帯域幅内で送信されるべき自己復号可能部分を含んでよい。PBCHはまた、第2の帯域幅の外側かつPBCH帯域幅内にある帯域幅の中で送信されるべき外側部分を含んでよい。
【０１６９】
いくつかの例では、ブロック1815における動作は、PBCHのビットを符号化することと、PBCHの符号化ビットを第2の帯域幅または第3の帯域幅にマッピングすることとを含んでよい。いくつかの例では、PBCHは、第2の帯域幅内で開始するとともに少なくとも第2の帯域幅内の同期信号周波数を中心として交互になるトーンマッピングを使用して、少なくとも第2の帯域幅の中のトーンにマッピングされてよい。いくつかの例では、PBCHは、第2の帯域幅内で開始するとともに第2の帯域幅内で連続するトーンマッピングを使用して、第2の帯域幅の中のトーンにマッピングされてよい。いくつかの例では、ブロック1815における動作は、図11および図12を参照しながら説明したPBCHフォーマッタを使用して実行され得る。
【０１７０】
ブロック1820において、方法1800は、SSブロックの一部としてPBCHを送信することを含んでよい。いくつかの例では、PBCHは、少なくとも第1のシンボルおよび第2のシンボルの中で送信されてよく、第1のシンボルと第2のシンボルの両方にレートマッチングされてよい。いくつかの例では、PBCHは、少なくとも第1のシンボルおよび第2のシンボルの中で送信されてよく、第1のシンボルにレートマッチングされるとともに第2のシンボルの中で反復されてよい。いくつかの例では、PBCHは、複数のリソース要素の各々の中で擬似ランダム位相シフトに関連付けられてよい。いくつかの例では、ブロック1820における動作は、図11および図12を参照しながら説明したPBCH送信マネージャを使用して実行され得る。
【０１７１】
いくつかの例では、方法1800は、SSブロックがPBCHの自己復号可能部分を含むという指示を送信することを含んでよい。いくつかの例では、指示を送信することは、少なくとも1つの同期信号の中で指示をシグナリングすることを含んでよい。いくつかの例では、少なくとも1つの同期信号は、基地局の同じアンテナポートから送信されるPSSおよびSSSを含んでよく、少なくとも1つの同期信号の中で指示をシグナリングすることは、PSSとSSSとの間の差分の中で指示を符号化することを含んでよい。
【０１７２】
方法1800のいくつかの例では、ブロック1815における動作は、PBCHのビットをポーラ符号化することと、PBCHのポーラ符号化ビットを少なくとも第2の帯域幅内でランダムにインターリーブすることとを含んでよい。いくつかの例では、PBCHのポーラ符号化ビットをインターリーブすることは、PBCHのポーラ符号化ビットをSランダムインターリーブすることを含んでよい。
【０１７３】
方法1800のいくつかの例では、ブロック1815における動作は、PBCHのビットをポーラ符号化することと、PBCHの、容量がより大きいポーラ符号化ビットを、第2の帯域幅にマッピングすることとを含んでよい。
【０１７４】
方法1800のいくつかの例では、ブロック1815における動作は、PBCHのビットをLDPC符号化することと、LDPCグラフの自己復号可能コアに関連する、PBCHの少なくともLDPC符号化ビットを、第2の帯域幅にマッピングすることとを含んでよい。
【０１７５】
方法1800のいくつかの例では、ブロック1815における動作は、ポーラ符号化、LDPC符号化、またはTBCC符号化を使用して、PBCHのビットを符号化することと、すべてのPBCH情報を表す符号化ビットを第2の帯域幅にマッピングすることとを含んでよい。これらの例のうちのいくつかでは、方法1800は、反復されたPBCH情報を表す符号化ビットを第2の帯域幅にマッピングすること、および/または反復されたPBCH情報を表す符号化ビットを第2の帯域幅の外側の第3の帯域幅の一部分にマッピングすることをさらに含んでよい。
【０１７６】
方法1500、1600、1700、および1800は、本開示で説明した技法のうちのいくつかの例示的な実装形態であり、方法の動作は、他の実装形態が可能であるように、並べ替えられてよく、同じもしくは異なる方法の他の動作と組み合わせられてよく、または他の方法で修正もしくは増補されてもよい。
【０１７７】
本明細書で説明した技法は、CDMA、TDMA、FDMA、OFDMA、SC-FDMA、および他のシステムなどの、様々なワイヤレス通信システムのために使用され得る。「システム」および「ネットワーク」という用語は、しばしば、互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、CDMA2000 1X、1Xなどと呼ばれることがある。IS-856(TIA-856)は、CDMA2000 1xEV-DO、高速パケットデータ(HRPD)などと呼ばれることがある。UTRAは、ワイドバンドCDMA(WCDMA(登録商標))、およびCDMAの他の変形を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、ユニバーサル移動体電気通信システム(UMTS)の一部である。3GPP LTEおよびLTE-Aは、E-UTRAを使用するUMTSの新たなリリースである。UTRA、E-UTRA、UMTS、LTE、LTE-A、およびGSM(登録商標)は、3GPPと称する団体からの文書に記載されている。CDMA2000およびUMBは、「第3世代パートナーシッププロジェクト2」(3GPP2)と称する団体からの文書に記載されている。本明細書で説明した技法は、無認可帯域幅または共有帯域幅を介したセルラー(たとえば、LTE)通信を含む、上述のシステムおよび無線技術、ならびに他のシステムおよび無線技術のために使用され得る。しかしながら、上記の説明は、例としてLTE/LTE-Aシステムを説明し、上記の説明の大部分においてLTE用語が使用されるが、技法はLTE/LTE-A適用例以外に適用可能である。
【０１７８】
添付の図面に関して上記に記載した発明を実施するための形態は、例を説明しており、実装され得る例、または特許請求の範囲内にある例のすべてを表すとは限らない。この説明で使用されるとき、「例」および「例示的」という用語は、「例、事例、または例示として機能すること」を意味し、「好ましい」または「他の例よりも有利である」ことを意味しない。発明を実施するための形態は、説明した技法の理解を与えるための具体的な詳細を含む。しかしながら、これらの技法は、これらの具体的な詳細を伴わずに実践され得る。いくつかの事例では、説明した例の概念を不明瞭にすることを回避するために、よく知られている構造および装置がブロック図の形態で示される。
【０１７９】
情報および信号は、様々な異なる技術および技法のうちのいずれかを使用して表されることがある。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０１８０】
本明細書の開示に関して説明した様々な例示的なブロックおよび構成要素は、汎用プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実施または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装され得る。
【０１８１】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶されてよく、またはコンピュータ可読媒体を介して送信されてよい。他の例および実装形態が、本開示および添付の特許請求の範囲内および趣旨内にある。たとえば、ソフトウェアの性質に起因して、上記で説明した機能は、プロセッサによって実行されるソフトウェア、ハードウェア、ファームウェア、ハードワイヤリング、またはこれらのうちのいずれかの組合せを使用して実装され得る。機能を実施する構成要素はまた、異なる物理的ロケーションにおいて機能の部分が実装されるように分散されることを含めて、様々な位置に物理的に配置され得る。特許請求の範囲内を含む本明細書で使用される「または」という用語は、2つ以上の項目の列挙において使用されるとき、列挙される項目のうちのいずれか1つが単独で採用され得ること、または列挙される項目のうちの2つ以上の任意の組合せが採用され得ることを意味する。たとえば、構成が、構成要素A、B、またはCを含むものとして説明される場合、その構成は、Aのみ、Bのみ、Cのみ、AとBとの組合せ、AとCとの組合せ、BとCとの組合せ、またはAとBとCとの組合せを含むことができる。また、特許請求の範囲内を含む本明細書で使用するとき、項目の列挙(たとえば、「のうちの少なくとも1つ」または「のうちの1つまたは複数」などの句で始まる項目の列挙)において使用される「または」は、たとえば、「A、B、またはCのうちの少なくとも1つ」という列挙が、AまたはBまたはCまたはABまたはACまたはBCまたはABC(すなわち、AおよびBおよびC)を意味するような、選言的列挙を示す。
【０１８２】
コンピュータ可読媒体は、コンピュータ記憶媒体と、ある場所から別の場所へのコンピュータプログラムの転送を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、フラッシュメモリ、CD-ROMまたは他の光ディスクストレージ、磁気ディスクストレージまたは他の磁気記憶デバイス、あるいは命令またはデータ構造の形態の所望のプログラムコード手段を搬送または記憶するために使用され得るとともに、汎用もしくは専用コンピュータまたは汎用もしくは専用プロセッサによってアクセスされ得る、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピー(登録商標)ディスク(disk)、およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０１８３】
本開示の先の説明は、当業者が本開示を作成または使用することを可能にするために与えられる。本開示の様々な修正が当業者に容易に明らかとなり、本明細書で定義される一般原理は、本開示の範囲を逸脱することなく他の変形に適用され得る。したがって、本開示は、本明細書で説明した例および設計に限定されるものではなく、本明細書で開示する原理および新規の技法と一致する最も広い範囲を与えられるべきである。
【符号の説明】
【０１８４】
100  ワイヤレス通信システム
105  基地局
110  地理的カバレージエリア
115  ユーザ機器(UE)
125  通信リンク
130  コアネットワーク
132、134  バックホールリンク
205  SSブロック
210  SSブロックバースト
215  SSブロックバーストセット
220  ブロードキャストチャネル送信時間区間(BCH TTI)
300  mmWワイヤレス通信システム
305  基地局
315  ユーザ機器(UE)
320  複数のビーム
400  SSブロック
405  1次同期信号(PSS)
410  2次同期信号(SSS)
415  物理ブロードキャストチャネル(PBCH)
420  復調基準信号(DMRS)
425  自己復号可能部分
430  同期信号周波数
500  SSブロック
505  1次同期信号(PSS)
510  2次同期信号(SSS)
515  物理ブロードキャストチャネル(PBCH)
520  復調基準信号(DMRS)
525  自己復号可能部分
530  同期信号周波数
600  トーンマッピング
605  自己復号可能帯域幅
700  トーンマッピング
705  自己復号可能帯域幅
805  基地局
815  ユーザ機器(UE)
905  装置
910  受信機
915  UEワイヤレス通信マネージャ
920  送信機
925  同期信号復号マネージャ
930  PBCH復号マネージャ
1015  UEワイヤレス通信マネージャ
1025  SSブロック構成マネージャ
1030  チューナー
1035  同期信号復号マネージャ
1040  PBCH復号マネージャ
1045  ポーラデコーダ
1050  LDPCデコーダ
1055  TBCCデコーダ
1105  装置
1110  受信機
1115  基地局ワイヤレス通信マネージャ
1120  送信機
1125  同期信号送信マネージャ
1130  PBCHフォーマッタ
1135  PBCH送信マネージャ
1215  基地局ワイヤレス通信マネージャ
1225  SSブロック構成マネージャ
1230  同期信号送信マネージャ
1235  PBCHフォーマッタ
1240  PBCH送信マネージャ
1245  ポーラエンコーダ
1250  LDPCエンコーダ
1255  TBCCエンコーダ
1310  プロセッサ
1315  ユーザ機器(UE)
1320  メモリ
1325  コンピュータ可読コンピュータ実行可能コード
1330  トランシーバ
1335  バス
1340  アンテナ
1350  UEワイヤレス通信マネージャ
1405  基地局
1410  プロセッサ
1420  メモリ
1425  コンピュータ可読コンピュータ実行可能コード
1430  基地局コミュニケータ
1435  バス
1440  ネットワークコミュニケータ
1445  コアネットワーク
1450  トランシーバ
1455  アンテナ
1460  基地局ワイヤレス通信マネージャ
【図１】
2020518150.tif 000003
【図２】
2020518150.tif 000004
【図３】
2020518150.tif 000005
【図４】
2020518150.tif 000006
【図５】
2020518150.tif 000007
【図６】
2020518150.tif 000008
【図７】
2020518150.tif 000009
【図８】
2020518150.tif 000010
【図９】
2020518150.tif 000011
【図１０】
2020518150.tif 000012
【図１１】
2020518150.tif 000013
【図１２】
2020518150.tif 000014
【図１３】
2020518150.tif 000015
【図１４】
2020518150.tif 000016
【図１５】
2020518150.tif 000017
【図１６】
2020518150.tif 000018
【図１７】
2020518150.tif 000019
【図１８】
2020518150.tif 000020
【国際調査報告】
2020518150.tif 000021
2020518150.tif 000022
2020518150.tif 000023
2020518150.tif 000024